(57)【要約】  本開示は、火の点いたタバコの高温の燃え殻の落下傾向を検査する自動マルチチャネル装置、及びその検査方法を提供する。本装置は、マルチチャネル回転板ユニット、タバコサンプルの自動供給ユニット、タバコサンプルの自動点火及び燃焼ライン検知ユニット、タバコ保持及び加力ユニット、自動の高温燃え殻落下検知及び除去ユニット、吸引中の煙捕集ユニット、吸引ユニット、主枠に配設する排気ユニット、及び上記ユニットの動作及びプロセスを制御する電気回路及び空気通路制御ユニットを含む。本装置は、特定のステップに基づいて運転し、順次回転板に挿入したタバコサンプルに対して、自動点火及び燃焼ライン検知を実行する。制御可能な外力を、燃焼及び吸引中に、タバコに加え、この種のタバコの高温の燃え殻の落下傾向を、複数のタバコの高温の燃え殻の落下発生によって検知する。本開示による装置により、テスト再現性や作業効率を向上できる。【選択図】図１
2021508830.tif 000002
【特許請求の範囲】
【請求項１】
火の点いたタバコの高温の燃え殻の落下傾向を検査する自動マルチチャネル装置であり、該装置は：主枠、制御ユニット、及びマルチチャネル回転板ユニット、タバコサンプルの自動供給ユニット、タバコサンプルの自動点火及び燃焼ライン検知ユニット、吸引ユニット、タバコ保持及び加力ユニット、及び自動の高温燃え殻落下検知及び除去ユニットを含み、これらユニットを、前記主枠内に配置し、それぞれ前記制御ユニットと接続する、装置であって：
前記マルチチャネル回転板ユニットは、タバコを保持する複数のサンプル挿入穴を有し；
前記タバコサンプルの自動供給ユニットを、前記マルチチャネル回転板ユニットと接続し、前記複数のサンプル挿入穴の入口側に配置し、それによりタバコを前記複数のタバコ挿入穴の１つに装填するようにし；
前記タバコサンプルの自動点火及び燃焼ライン検知ユニットを、前記複数のサンプル挿入穴の出口側に配置し、前記複数のサンプル挿入穴の近くに存在させて、前記複数のサンプル挿入穴の１つと相対的にそれぞれ保持した前記タバコサンプルに点火し、前記タバコサンプルの燃焼ラインを検知し；
前記吸引ユニットを、前記複数のサンプル挿入穴の１つと接続して、前記タバコに点火した後に、タバコ喫煙動作をシミュレーションし；
前記タバコ保持及び加力ユニットを、前記複数のサンプル挿入穴の入口側の近くに配置して、タバコ保持動作及び払う動作をシミュレーションし；
前記自動の高温燃え殻落下検知及び除去ユニットを、前記複数のサンプル挿入穴の１つに近づけて配置して、前記タバコに高温の燃え殻の落下があるかを検知し、前記タバコをチャネルから除去する、装置。
【請求項２】
前記マルチチャネル回転板ユニットは：
前記主枠内に配置する伝動座ベース；
前記伝動座ベースに垂直に配置し、回転駆動装置と接続する伝動座；
前記伝動座の回転面に配置し、前記複数のサンプル挿入穴を含む回転板；
前記伝動座の固着面に配置する固着板であって、該固着板と前記回転板の間に密閉装置を設ける、固着板；及び
前記固着板に配置し、前記吸引ユニットと接続する第１空気圧継手であって、吸引を実行するために前記複数のサンプル挿入穴の１つに保持する前記タバコを吸引するように、前記複数のサンプル挿入穴の１つと連通状態にできる、第１空気圧継手
を含む、請求項１に記載の装置。
【請求項３】
前記伝動座の前記回転面は、ノブを押圧することによって前記回転板フランジに取付ける回転板フランジを備える、請求項２に記載の装置。
【請求項４】
前記回転板を、バリシールによって前記固着板と密閉する、請求項２に記載の装置。
【請求項５】
前記複数のサンプル挿入穴それぞれは：
ラビリンスリング接続座であって、前記回転板と前記固着板の間にある前記密閉装置を、前記固着板の方に近い前記ラビリンスリング接続座の一端部に配置する、ラビリンスリング接続座；
前記固着板から、前記密閉装置を介して、離れて存在する前記ラビリンスリング接続座の別の端部に配置するラビリンスリングスリーブ；及び
タバコサンプルを保持するために前記ラビリンスリングスリーブ内部に配置する複数のラビリンスリング
を含む、請求項２に記載の装置。
【請求項６】
前記複数のラビリンスリングは、４個のラビリンスリングを含む、請求項５に記載の装置。
【請求項７】
少なくとも２本のハンドルを、前記固着板から離れて対面する前記回転板の片面に配置する、請求項２に記載の装置。
【請求項８】
前記タバコサンプルの自動供給ユニットは、タバコ供給モジュールと、タバコ摺動スロットによって前記タバコ供給モジュールに接続するタバコ押出モジュールを含み、前記タバコ供給モジュールと前記タバコ押出モジュールの両方を、タバコ装填ベースによって、前記主枠に取付け、前記タバコ供給モジュールを、タバコを前記タバコ摺動スロットに供給するよう構成し、前記タバコ押出モジュールは、前記タバコを、前記タバコ摺動スロット内で、前記複数のサンプル挿入穴の１つ内に押出す、請求項１に記載の装置。
【請求項９】
前記タバコ供給モジュールは：
前記タバコ装填ベースに、タバコ収集箱ブラケットによって、取付けて、前記タバコを収容する、タバコ収集箱；及び
前記タバコ収集箱内の前記タバコを、ローラ駆動装置の駆動下で、前記タバコ摺動スロットに供給するように、前記タバコ収集箱の出口端に配置し、前記タバコ摺動スロットと接続するローラ
を含む、請求項８に記載の装置。
【請求項１０】
前記タバコ供給モジュールは、前記タバコを、前記ローラから前記タバコ摺動スロットまでガイドするように、前記ローラの下側に配置し、前記タバコ摺動スロットと重なるタバコ供給ガイド板を更に含む、請求項９に記載の装置。
【請求項１１】
前記タバコ供給モジュールは、相関光電スイッチを更に含み、前記相関光電スイッチを、前記タバコ摺動スロットの長さ方向と直角に交わる方向で互いに対向して配置して、前記タバコが前記タバコ摺動スロット内に存在するかを検知する、請求項９に記載の装置。
【請求項１２】
前記タバコ供給モジュールは：
前記ローラの初期位置を判断するために、前記タバコ収集箱ブラケットに配置するローラ光電スイッチ
を更に含む、請求項９に記載の装置。
【請求項１３】
前記タバコ供給モジュールは、タバコ装填ローラのコード板及びローラ結合器を更に含み、前記ローラ結合器の一端部を、前記ローラ駆動装置と接続し、前記ローラ結合器の別の端部を、前記タバコ装填ローラのための前記コード板によって、前記ローラに接続する、請求項９に記載の装置。
【請求項１４】
前記タバコ押出モジュールは：
前記複数のサンプル挿入穴の１つの方に近い前記タバコ摺動スロットの一端部に配置するサンプルブラケット；
前記タバコ摺動スロットの上方に配置して、前記タバコ摺動スロット内の前記タバコを、押出ロッド駆動装置の動作下で、前記サンプルブラケットに押出す、押出ロッド；及び
前記サンプルブラケットの上方に配置し、爪駆動装置と接続して、前記爪駆動装置の駆動下で前記サンプルブラケットにある前記タバコサンプルを挟持し、前記タバコサンプルを、前記複数のサンプル挿入穴の１つに移す、タバコ装填爪
を含む、請求項８に記載の装置。
【請求項１５】
前記タバコ押出駆動装置は：
タバコ押出モータ；
結合器によって前記タバコ押出モータと接続するタバコ押出送りねじプラットホーム；及び
前記タバコ押出送りねじプラットホームに設置し、前記押出ロッドの一端部と接続するタバコ押出バッフル
を含む、請求項１４に記載の装置。
【請求項１６】
前記タバコ押出モジュールは、タバコ押出送りねじプラットホーム座に配置して、前記押出ロッドの初期位置を判断する、タバコ押出し光電スイッチを更に含む、請求項１５に記載の装置。
【請求項１７】
前記爪駆動装置は：
前記タバコ押出送りねじプラットホームと平行に配置する横向きシリンダ；
爪シリンダ設置座によって前記横向きシリンダのピストン端部に取付ける爪シリンダ；及び
前記爪シリンダと接続して、前記サンプルブラケットに保持した前記タバコを挟持する、前記タバコ装填爪
を含む、請求項１４に記載の装置。
【請求項１８】
前記タバコサンプルの自動点火及び燃焼ライン検知ユニットは：
前記複数のサンプル挿入穴の１つに近づけて配置して、前記複数のサンプル挿入穴の１つ内に保持した前記タバコサンプルに点火する、点火器；
前記タバコサンプルの自動点火及び燃焼ライン検知ユニットのベースに設置し、前記点火器と接続して、前記点火器を、タバコ点火電気プラットホーム駆動装置の駆動下で移動させる、点火器電気プラットホーム；及び
点火ベースに、前記複数のサンプル挿入穴の１つに近づけて、配置して、前記複数のサンプル挿入穴の１つ内に保持した前記タバコの燃焼ラインを検知する、燃焼ライン検知装置
を含む、請求項１に記載の装置。
【請求項１９】
前記燃焼ライン検知装置は：
前記タバコサンプルの自動点火及び燃焼ライン検知ユニットの前記ベースに配置する燃焼ライン検知可動プラットホームであって、移動可能な、燃焼ライン検知可動プラットホーム；
前記複数のサンプル挿入穴の１つに近づけて、燃焼ライン検知アダプタに配置するプローブシャフト；及び
前記燃焼ライン検知アダプタ内部に設置する燃焼ライン検知温度センサ
を含む、請求項１８に記載の装置。
【請求項２０】
前記プローブシャフトの端部は、プローブ片を有する、請求項１９に記載の装置。
【請求項２１】
前記プローブシャフトの軸と前記点火器の軸は、同じ平面に存在し、互いに直交する、請求項１９に記載の装置。
【請求項２２】
前記点火器は、点火器ヘッド、点火器ロッド、及び点火器ハンドルを含み、前記点火器ヘッドを、点火器固定スリーブによって前記点火器ロッドの一端部に配置し、前記点火器ハンドルを、前記点火器ロッドの他端部に配置し、前記点火器ロッドを、前記点火器電気プラットホームと接続して、前記点火器電気プラットホームの駆動下で移動させる、請求項１８に記載の装置。
【請求項２３】
前記タバコサンプルの自動点火及び燃焼ライン検知ユニットは：
上点火器支持座、及び該上点火器支持座と協働する下点火器支持座であって、前記点火器ロッドを、前記上点火器支持座と前記下点火器支持座との間で保持し、前記下点火器支持座を、前記点火器電気プラットホームと接続する、上点火器支持座及び下点火器支持座
を更に含む、請求項２２に記載の装置。
【請求項２４】
前記点火器電気プラットホーム駆動装置は、結合器によって、前記点火器電気プラットホームに接続するプラットホーム駆動モータを含む、請求項１８に記載の装置。
【請求項２５】
前記タバコサンプルの自動点火及び燃焼ライン検知ユニットは：
前記タバコサンプルの自動点火及び燃焼ライン検知ユニットの設置座に、対向して配置する２個の点火光電スイッチ；及び
前記点火器電気プラットホームに存在するスライダに配置する点火器光電スイッチバッフル
を更に含み、
前記点火器電気プラットホームの初期位置は、該位置まで、前記点火器光電スイッチバッフルが、前記２個の点火器光電スイッチ間で、移動する位置である、請求項１８に記載の装置。
【請求項２６】
前記吸引ユニットは：
前記主枠にある垂直支持体に配置する吸引ユニット設置座；
前記吸引ユニット設置座に、前記吸引ユニット設置座の長さ方向に沿って、配置する摺動レール；
吸引モータであって、該吸引モータのモータシャフトを、前記摺動レール上でスライダと接続する、吸引モータ；及び
吸引シリンダであって、該吸引シリンダの一端部を、モータ接続板によって前記吸引モータと接続し、前記吸引シリンダの他端部を、カバーによって密閉し、吸引ピストンを、前記吸引シリンダ内に配置し、前記吸引ピストンの端面は、前記吸引シリンダの半径断面と同じであり、前記カバーは、吸気パイプと接続する開口部を備え、前記吸気パイプを、前記複数のサンプル挿入穴の１つと接続する、吸引シリンダ
を含む、請求項１に記載の装置。
【請求項２７】
前記吸引ユニットは：
前記垂直支持体と接続して、前記吸引モータを固定する、吸引モータブラケット；
前記吸引シリンダの底部に配置して、前記吸引シリンダを支持する、吸引シリンダベース；及び
テンションロッドであって、該テンションロッドの両端部を、前記吸引モータブラケットと前記吸引シリンダベースとにそれぞれ接続する、テンションロッド
を更に含む、請求項２６に記載の装置。
【請求項２８】
前記吸引シリンダは、両端部に開口部を有する筒状ガラスシリンダである、請求項２６に記載の装置。
【請求項２９】
前記吸引ユニットは、前記吸引モータの初期位置を判断するために、前記吸引ユニット設置座に配置し、前記制御ユニットと接続する吸引零位光電スイッチを更に含む、請求項２６に記載の装置。
【請求項３０】
前記タバコ保持及び加力ユニットは、払いモジュールと保持モジュールを含み：
前記払いモジュールは：
払いシート；
回転シリンダであって、該回転シリンダのシリンダシャフトを、前記払いシートの一端部と接続して、前記払いシートを、上方及び下方に回転させる、回転シリンダ；及び  
前記タバコ保持及び加力ユニットの前記ベースに配置する前記払いモジュールの空気圧摺動テーブルであって、前記払いモジュールの前記空気圧摺動テーブルの一端部を、前記回転シリンダと接続して、前記払いシートを、水平方向に移動させる、空気圧摺動テーブル
を含み、
前記保持モジュールは：
払い爪；
モータ摺動テーブル設置板によって前記払いモジュールの前記空気圧摺動テーブルに配置する一次元モータプラットホームであって、前記払い爪と接続して、前記払い爪の動作を駆動する、一次元モータプラットホーム
を含む、請求項１に記載の装置。
【請求項３１】
前記タバコを払う前記払いシートの一端部は、払う領域を大きくするために、前記払いシートの幅より大きな断面領域を有する払いヘッドを備える、請求項３０に記載の装置。
【請求項３２】
前記払いシートを、払いシート設置座によって、前記回転シリンダに取付け、前記回転シリンダを、前記払いモジュールの前記空気圧摺動テーブルに、回転シリンダ設置座によって取付け、
前記払いモジュールは、前記払いシート設置座に取付ける上振動減衰シート、及び前記回転シリンダ設置座に取付ける下振動減衰シートを更に含み、前記払いシートが上下に回転する範囲を限定する、請求項３０に記載の装置。
【請求項３３】
前記払いモジュールは：
前記払い組立体の前記空気圧摺動テーブルに配置する前記払いモジュールの送りねじ摺動テーブルであって、前記払いモジュールの前記送りねじ摺動テーブル上に、前記払いモジュールの前記空気圧摺動テーブルを配置して、前記回転シリンダを設置する、払いモジュールの送りねじ摺動テーブル
を更に含む、請求項３０に記載の装置。
【請求項３４】
前記払いモジュールは：
前記モータ摺動安定設置板に配置し、前記制御ユニットと接続する零位光電スイッチ；及び
前記タバコ保持及び加力ユニットの前記ベースに配置する零位スイッチバッフルであって、前記零位スイッチバッフルの位置を、前記零位光電スイッチによって検知して、前記タバコ保持及び加力ユニットの前記ベースのストロークを判断する、零位スイッチバッフル
を更に含む、請求項３３に記載の装置。
【請求項３５】
前記払い爪は：
前記一次元モータプラットホームと接続するタバコ払い空気圧爪；
前記タバコ払い空気圧爪の上顎部に取付ける上払い爪；及び
下顎設置座によって前記タバコ払い空気圧爪の下顎部に取付ける下払い爪
を含む、請求項３０に記載の装置。
【請求項３６】
前記保持モジュールは：
前記一次元モータプラットホームに取付けると共に、払い爪設置座の一端部のそばに存在する前記タバコ払い爪支持座に取り付けるタバコ払い爪支持座；
前記タバコ払い爪支持座に取付ける爪限界バッフル；及び
モータ摺動テーブルベースに取付ける限界光電スイッチであって、前記モータ摺動テーブルベースを、前記モータ摺動テーブル設置板に配置して、前記一次元モータプラットホームを取付け、前記限界光電スイッチは、前記爪限界バッフルのストロークを検知して、前記タバコ払い爪支持座のストロークを判断できる、限界光電スイッチ
を更に含む、請求項３５に記載の装置。
【請求項３７】
前記自動の高温燃え殻落下検知及び除去ユニットは：
前記主枠と接続する高温燃え殻落下ユニットベース；
アダプタによって前記高温燃え殻落下ユニットベース内部に配置し、前記制御ユニットと接続して、前記タバコの端部の燃焼温度を検知し、前記温度データを前記制御ユニットに送信し、それにより前記制御ユニットが、前記タバコの高温の燃え殻の落下が発生したかを判断する、高温燃え殻落下検知温度センサ；
タバコ引抜シリンダ設置座によって前記高温燃え殻落下ユニットベースに取付けるタバコ引抜シリンダ；
空気圧フィンガ接続板であって、該空気圧フィンガ接続板の一端部を、前記タバコ引抜シリンダ設置座と接続する、空気圧フィンガ接続板；及び
前記空気圧フィンガ接続板の他端部に配置して、前記タバコ引抜シリンダの駆動下で移動し、前記複数のサンプル挿入穴の１つから前記タバコを引抜く、タバコ引抜爪
を含む、請求項１に記載の装置。
【請求項３８】
前記自動の高温燃え殻落下検知及び除去ユニットは、前記タバコ引抜シリンダ設置座に配置する少なくとも１つのリニア軸受を更に含み、前記タバコを引抜く方向に平行に位置するガイドシャフトを、前記少なくとも１つのリニア軸受に設ける、請求項３７に記載の装置。
【請求項３９】
前記少なくとも１つのリニア軸受は、２つのリニア軸受を含む、請求項３７に記載の装置。
【請求項４０】
前記自動の高温燃え殻落下検知及び除去ユニットは：
プローブ座によって前記アダプタに取付け、前記高温燃え殻落下検知温度センサのプローブヘッドと同軸であるプローブガイド管であって、前記複数のサンプル挿入穴の１つに面し、それにより前記高温燃え殻落下検知温度センサが、前記複数のサンプル挿入穴の１つに保持するタバコサンプルの燃焼温度を受信できるようにする、プローブガイド管
を更に含む、請求項３７に記載の装置。
【請求項４１】
前記高温燃え殻落下検知温度センサは、赤外線温度センサである、請求項３７に記載の装置。
【請求項４２】
前記自動の高温燃え殻落下検知及び除去ユニットは、前記タバコ引抜爪と接続して、前記タバコ引抜爪の把持及び解放動作を実行するタバコ引抜空気圧フィンガを更に含む、請求項３７に記載の装置。
【請求項４３】
煙捕集ユニットを更に含み、該煙捕集ユニットは：
煙捕集ユニット設置座によって前記主枠に配置し、第２空気圧継手及びガス排出継手を含む、ガス濾過装置であって、前記第２空気圧継手は、前記複数のサンプル挿入穴の１つと連通し、前記ガス排出継手は、前記吸引ユニットと連通する、ガス濾過装置
を含む、請求項１に記載の装置。
【請求項４４】
前記ガス濾過装置は：
前記煙捕集ユニット設置座に取付ける圧縮シリンダ；
前記圧縮シリンダのピストン端部に配置する押圧開口部であって、前記第２空気圧継手が、前記押圧開口部と連通して、前記押圧開口部を通して前記吸引ガスを搬送する、押圧開口部；及び
フィルタ板であって、該フィルタ板の上端部は、前記押圧開口部と連通し、前記フィルタ板の下端部は、前記ガス排出継手と連通し、それにより前記吸引ガスを濾過し、前記濾過したガスを前記吸引ユニットに搬送するようにする、フィルタ板
を更に含む、請求項４３に記載の装置。
【請求項４５】
前記フィルタ板は：
シャフトロッドによって前記煙捕集ユニットに配置するトラップトレー；
前記トラップトレー内部に配置するフィルタ；
前記フィルタ上方に配置して、前記トラップトレー内部で前記フィルタを圧縮する三角クリップであり、前記押圧開口部を、前記三角クリップ上方に配置して、前記圧縮シリンダの動作下で前記三角クリップを圧縮する、三角クリップ
；及び
前記トラップトレーの底部及び前記ガス排出継手とそれぞれ連通して、前記濾過したガスを前記ガス排出継手に搬送する、トラップアダプタ
を含む、請求項４４に記載の装置。
【請求項４６】
前記フィルタは：
前記トラップトレー内に配置して、前記フィルタを収容するフィルタ座であって、複数の貫通穴を、前記フィルタ座の底部に設けて、ガスが流れるようにする、フィルタ座；及び
前記フィルタ座と嵌合して、前記フィルタを密閉するフィルタカバーであり、該フィルタカバーの上部には、前記フィルタ座を前記押圧開口部と連通するための穴を有し、前記三角クリップを、前記フィルタカバーの上面に配置する、フィルタカバー
を更に含む、請求項４５に記載の装置。
【請求項４７】
前記マルチチャネル回転板ユニットの下に配置して、火の点いたタバコの灰及び前記タバコの残存部分を収集する、灰ホッパを更に含む、請求項１に記載の装置。
【請求項４８】
前記主枠と接続する一端部及び外部の煙捕集装置と接続する別の端部を有して、前記主枠内の煙を排出する、排煙ユニットを更に含む、請求項１に記載の装置。
【請求項４９】
請求項１〜４８のいずれか一項に記載の装置を使用することによって、火の点いたタバコの高温の燃え殻の落下傾向を検査する方法であって、該方法は：
ステップＡ：前記タバコサンプルの自動供給ユニットを始動して、前記複数のサンプル挿入穴それぞれにタバコを供給するステップ；
ステップＢ：前記タバコサンプルの自動点火及び燃焼ライン検知ユニットを始動して、前記複数のサンプル挿入穴のそれぞれに保持した前記タバコに点火する一方で、前記吸引ユニットを始動して、前記タバコに対する喫煙動作をシミュレーションするステップ；
ステップＣ：前記タバコ保持及び加力ユニットを始動して、前記複数のサンプル挿入穴それぞれの内に保持した前記タバコに対して払う動作をシミュレーションするステップ；
ステップＤ：前記自動の高温燃え殻落下検知及び除去ユニットを始動して、高温の燃え殻の落下が発生するかを検知し、前記タバコサンプルの自動点火及び燃焼ライン検知ユニットを使用して、前記火の点いたタバコが、所定の燃焼ラインに到達したかを検知するステップ；及び
ステップＥ：高温の燃え殻の落下があった又は前記所定の燃焼ラインまで燃焼した前記タバコを検知した際に、前記自動の高温燃え殻落下検知及び除去ユニットによって、前記タバコを保持する前記チャネルから前記タバコを引抜くステップ
を含む、方法。
【請求項５０】
前記ステップＡは：
ステップＡ１：前記タバコサンプルの自動供給ユニットによって、前記複数のサンプル挿入穴の１つに前記タバコを供給するステップ；
ステップＡ２：前記マルチチャネル回転板ユニットを回転し、前記ステップＡを繰返して、前記１つの穴に隣接する別の穴にタバコを供給していき、タバコ供給動作を完了するステップ；及び
ステップＡ３：前記マルチチャネル回転板ユニットの回転数ｎと、前記複数のサンプル挿入穴の数Ｎとを比較し、ｎ＜Ｎ−１なら、前記ステップＡ及び前記ステップＡ２を繰返し、ｎ＝Ｎなら、前記ステップＢを実行するステップ
を含む、請求項４９に記載の方法。
【請求項５１】
前記ステップＢは：
ステップＢ１：前記タバコサンプルの自動点火及び燃焼ライン検知ユニットを始動して、前記吸引ユニットと連通する１つのチャネルに保持する前記タバコに点火するステップ；  
ステップＢ２：前記吸引ユニットを始動して、該吸引ユニットと連通する前記１つのチャネルに保持する前記タバコを吸引するステップ；
ステップＢ３：前記マルチチャネル回転板ユニットを回転して、前記点火したタバコを保持する前記１つのチャネルに隣接する別のチャネルを、前記吸引ユニットと連通可能にし、前記ステップＢ１及び前記ステップＢ２を繰返すステップ；及び
ステップＢ４：前記マルチチャネル回転板ユニットの回転数ｎと、前記複数のサンプル挿入穴の数Ｎとを比較し、ｎ＜Ｎ−１なら、前記ステップＢ１及び前記ステップＢ２を繰返し、ｎ＝Ｎなら、前記ステップＣを実行するステップ
を含む、請求項４９に記載の方法。
【請求項５２】
前記保持ユニットは、保持モジュール及び払いモジュールを含み、前記ステップＣは：
ステップＣ１：前記保持モジュールを始動して、前記複数のサンプル挿入穴の１つに保持した前記タバコを保持するステップ；及び
ステップＣ２：前記払いモジュールを始動して、前記保持したタバコを払うステップ
を含む、請求項４９に記載の方法。
【請求項５３】
前記自動の高温燃え殻落下検知及び除去ユニットは、高温燃え殻落下ユニットベース及び温度センサを含み、前記ステップＤは：
ステップＤ１：前記温度センサを始動して、前記タバコの燃焼端部の温度を測定し、前記温度データを前記制御ユニットに伝送するステップ；
ステップＤ２：前記制御ユニットによって、高温の燃え殻の落下が発生しているかを検査するステップであって：
高温の燃え殻の落下が発生しているなら、前記ステップＥに戻り；
高温の燃え殻の落下が発生していなければ、前記検知したタバコが、所定の燃焼ラインまで燃焼しているかを、前記タバコサンプルの自動点火及び燃焼ライン検知ユニットを使用して、検査し、前記所定の燃焼ラインに到達していれば、ステップＥに戻り、前記所定の燃焼ラインに到達していなければ、前記ステップＤ１を繰返すステップ
を含む、請求項４９に記載の方法。
【請求項５４】
前記ステップＤ２は：  
前記火の点いたタバコに高温の燃え殻の落下が発生していなければ、前記吸引ユニットを起動して、前記タバコに対して喫煙動作を実行するステップ
を更に含む、請求項５３に記載の方法。
【発明の詳細な説明】
【技術分野】
【０００１】
（関連出願の相互参照）
本出願は、中国の国家知識産権局に２０１７年１２月２９日付で出願された中国特許出願公開第２０１７１１４６９８０２．７号明細書の利益を主張するものであり、該特許出願の開示内容を、本明細書に援用する。
【０００２】
本出願は、タバコ製品の品質検知の技術分野に属し、特に、火の点いたタバコの高温の燃え殻の落下傾向を検査する自動マルチチャネル装置、及びその検査方法に関する。本装置は、特定のステップに従い火の点いたタバコに、制御可能な外力を加える。かかる火の点いたタバコの高温の燃え殻の落下傾向を検査する方法は、複数のタバコの高温の燃え殻の落下現象の発生によって、評価できる。
【背景技術】
【０００３】
タバコを消費する過程において、火の点いたタバコの高温の燃え殻が落下する現象は、頻繁に発生し、タバコ製品や、タバコ製品のブランドに対する消費者の受容に大いに影響する。更にまた、かかる高温の燃え殻の落下が原因の被害に対して、消費者による苦情が多くなっている。一方、火の点いたタバコの高温の燃え殻の落下が原因で、タバコが失われ、喫煙を中断することがあるだけでなく、落下した吸い殻が、可燃性の場所（例えば、家具、衣服、野生のジャングル等）に落下したならば、それにより、火災の危険性もある（Ｐｅａｃｅ．  Ｗｏｒｌｄ  Ｎｏ  Ｔｏｂａｃｃｏ  Ｄａｙ：  Ｉｎｔｅｒｐｒｅｔａｔｉｏｎ  ｏｆ  ｆｉｒｅ  ａｃｃｉｄｅｎｔｓ  ｃａｕｓｅｄ  ｂｙ  ｃｉｇａｒｅｔｔｅ  ｂｕｔｔ  ［Ｊ］．  Ｃｈｉｎａ  Ｆｉｒｅ，  ２０１１  （１１）：  ３８−４２．（非特許文献１））。タバコを加工及び製造する企業は、この現象の発生に対して一層の注意を払ってきた。いかにして火の点いたタバコの高温の燃え殻の落下性能を改善し、検査するかの問題は、そうしたタバコ企業にとって、喫緊に解決すべき注目の課題になっている（ＷＡＮＧ  Ｈａｉｂｉｎ，  ＬＩＵ  Ｄｅｈｕ，  ＷＵ  Ｚｈａｏｇａｎｇ，  ｅｔ  ａｌ．  Ａｎａｌｙｓｉｓ  ａｎｄ  ｒｅｓｅａｒｃｈ  ｏｎ  ｆａｌｌｉｎｇ  ｐｈｅｎｏｍｅｎｏｎ  ｏｆ  ｃｉｇａｒｅｔｔｅ  ｂｕｒｎｉｎｇ  ｅｎｄ  ［Ａ］．  Ｃｈｉｎａ  Ｔｏｂａｃｃｏ  Ｓｏｃｉｅｔｙ  ２０１０  Ｓｙｍｐｏｓｉｕｍ  Ｓｅｔ，  ２０１０，  ２８５−２８７（非特許文献２））。
【０００４】
火の点いたタバコの高温の燃え殻の落下は、多くの理由で発生し得る。タバコのデザインや加工の点からは、火の点いたタバコの高温の燃え殻の落下は、タバコ紙内の刻みタバコの充填状態、燃焼中の燃焼率の不一致、生成灰の不十分な被包、その他の理由によって発生し得る。しかしながら、喫煙中における火の点いたタバコの高温の燃え殻の落下傾向に関する検査は、その性能を向上するための基礎である。殆ど、この性能の検査は、評価者の感覚的又は意識的な評価に左右され、その結果、人の影響が大きく、得られたデータに対する効率が低く、再現性に乏しい。そうした中で、火の点いたタバコの高温の燃え殻の落下傾向を検査する装置の開発も、この技術分野において注目の課題になっている。
【０００５】
中国特許第１０２９３７６３９  Ａ号明細書（特許文献１）「火の点いたタバコに対する高温の燃え殻を検知する装置（Ｈｏｔ  Ｃｏａｌ  Ｆａｌｌｏｕｔ  Ｄｅｔｅｃｔｉｏｎ  Ｄｅｖｉｃｅ  ｆｏｒ  Ｂｕｒｎｉｎｇ  Ｃｉｇａｒｅｔｔｅｓ）」では、加力装置を設計し、該装置は、タバコの喫煙中や、叩く過程で、喫煙中のタバコに対して叩く動作を適用することで、火の点いたタバコの高温の燃え殻の落下発生を観察できる。該装置の叩くモードと実際の消費者の払う動作の習慣との違いについて記載しておらず、この方法のテスト結果は、単純すぎて、有効で客観的な評価になっていない。
【０００６】
中国実用新案第２０４１６５８５０  Ｕ号明細書（特許文献２）「火の点いたタバコに対する高温の燃え殻の落下を検知する装置（Ｈｏｔ  Ｃｏａｌ  Ｆａｌｌｏｕｔ  Ｄｅｔｅｃｔｉｎｇ  Ｄｅｖｉｃｅ  ｆｏｒ  Ｂｕｒｎｉｎｇ  Ｃｉｇａｒｅｔｔｅｓ）」に含まれる火の点いたタバコの高温の燃え殻の落下を検知する装置は、中国特許第１０２９３７６３９  Ａ号明細書（特許文献１）「火の点いたタバコに対する高温の燃え殻の落下を検知する装置（Ｈｏｔ  Ｃｏａｌ  Ｆａｌｌｏｕｔ  Ｄｅｔｅｃｔｉｏｎ  Ｄｅｖｉｃｅ  ｆｏｒ  Ｂｕｒｎｉｎｇ  Ｃｉｇａｒｅｔｔｅｓ）」で開示された装置が、叩く力や角度を柔軟に変更できないという問題を改善はしたが、依然として幾つかの課題がある。この実用新案で開示された叩く方法は、依然として、タバコを打つために機械的な外力に頼っている。かかる叩くシミュレーションを、機械的な構成要素によって表面を叩く動作を通して、表面的に実行し得るが、この過程における実際の応力状況について、本質的に考慮されていない可能性があり、自動運転の達成手段も、考慮されていない可能性がある。
【０００７】
中国特許出願第２０１３１０２２７４６８．Ｘ号明細書（特許文献３）は、「回転によって火の点いたタバコの高温の燃え殻の落下傾向を検知する装置（Ｄｅｖｉｃｅ  ｆｏｒ  Ｄｅｔｅｃｔｉｎｇ  Ｈｏｔ  Ｃｏａｌ  Ｆａｌｌｏｕｔ  Ｐｒｏｐｅｎｓｉｔｙ  ｏｆ  Ｂｕｒｎｉｎｇ  Ｃｉｇａｒｅｔｔｅｓ  ｂｙ  Ｒｏｔａｔｉｏｎ）」を開示した。この装置は、ベース、モータ、モータによって駆動するタバコ保持機構、及び安全シールドを含み得る。この開示は、回転によって火の点いたタバコの高温の燃え殻が落下する現象をテストするものであり、高温の燃え殻を検知する新しい方法を開発している。この新しい方法は、複数の検知によって、高温の燃え殻の落下に関する統計データを取得し、それにより、火の点いたタバコの高温の燃え殻の落下傾向に関する性能指標を取得する。本開示は、回転時間及び回転数が制御可能で、異なる検知強度を、異なるサンプルに適用でき、幅広い応用が可能であるという技術的効果を有する；この検知方法は、簡単、便利で、短時間で済み、検知費用が低い。しかしながら、この方法には、実際の喫煙プロセスがないため、灰を叩き、灰を払うという人の行動に対応しておらず、依然として、実際の状況における、火の点いたタバコの高温の燃え殻の落下性能を評価するには、問題がある。
【０００８】
中国特許出願第２０１５１０９７３２１４．１号明細書（特許文献４）は、「火の点いたタバコの高温の燃え殻の落下性能に対する自動制御検知装置及び方法（Ａｕｔｏｍａｔｉｃ  Ｃｏｎｔｒｏｌ  Ｄｅｔｅｃｔｉｏｎ  Ｄｅｖｉｃｅ  ａｎｄ  Ｍｅｔｈｏｄ  ｆｏｒ  Ｈｏｔ  Ｃｏａｌ  Ｆａｌｌｏｕｔ  Ｐｅｒｆｏｒｍａｎｃｅ  ｏｆ  Ｂｕｒｎｉｎｇ  Ｃｉｇａｒｅｔｔｅｓ）」を提供している。この装置及び方法は、機械で灰を払うことと、人が灰を払うこととの機械的行動の比較を研究することで、それにより確実に、機械装置を通して灰を払うことで起こる機械的な動的行動を、人の動的行動と一致させるように、設計されている。これは、タバコの高温の燃え殻が落下する傾向を検知するための、一様で、客観的で正確な方法を提供し得る。しかし、この方法は、どのように、消費者がタバコの灰を払う動作の行動特徴に基づいて、タバコの高温の燃え殻が落下する傾向を検知する方法を確立するかについて記載していない。しかしながら、かかる落とす行動の特徴は、タバコの高温の燃え殻の落下性能評価のために提案、適用される方法に関する基本的な課題であり、人がタバコの灰を払う動作の行動特徴に基づいてシミュレーションする検知方法を確立することは、より重要である。そうした中で、この方法は、どのようにタバコを装填するか、どのようにテスト後タバコを解放するか、どのようにして確実に、テスト中に人的操作によって発生する影響を軽減するかについて、含んでいない。
【０００９】
中国特許出願第２０１７１０３０３０００．２号明細書（特許文献５）「灰を払う動作という人の行動特徴に基づいて火の点いたタバコの高温の燃え殻の落下傾向を検査する方法（Ｍｅｔｈｏｄ  ｆｏｒ  Ａｓｓｅｓｓｉｎｇ  Ｈｏｔ  Ｃｏａｌ  Ｆａｌｌｏｕｔ  Ｐｒｏｐｅｎｓｉｔｙ  ｏｆ  Ｂｕｒｎｉｎｇ  Ｃｉｇａｒｅｔｔｅｓ  Ｂａｓｅｄ  ｏｎ  Ｈｕｍａｎ  Ｂｅｈａｖｉｏｒ  Ｆｅａｔｕｒｅｓ  ｏｆ  Ａｓｈ−ｆｌｉｃｋｉｎｇ  Ａｃｔｉｏｎ）」及び中国特許出願第２０１７１０３０２９８１．９号明細書（特許文献６）「灰を叩く動作という人の行動特徴に基づいて火の点いたタバコの高温の燃え殻の落下傾向を検査する方法（Ｍｅｔｈｏｄ  ｆｏｒ  Ａｓｓｅｓｓｉｎｇ  Ｈｏｔ  Ｃｏａｌ  Ｆａｌｌｏｕｔ  Ｐｒｏｐｅｎｓｉｔｙ  ｏｆ  Ｂｕｒｎｉｎｇ  Ｃｉｇａｒｅｔｔｅｓ  Ｂａｓｅｄ  ｏｎ  Ｈｕｍａｎ  Ｂｅｈａｖｉｏｒ  Ｆｅａｔｕｒｅｓ  ｏｆ  Ａｓｈ−ｔａｐｐｉｎｇ  Ａｃｔｉｏｎ）」は、それぞれ人の灰を払う動作と灰を叩く動作に関するシミュレーションの行動特徴に基づいて火の点いたタバコの高温の燃え殻の落下傾向を検査する方法を考案したものである。これらの発明は、灰を払うモードと灰を叩くモード両方のシミュレーションした人の行動特徴に基づいて、タバコテスト中の適切なステップ及び通知を規定し、それらは、テストデータの動作仕様や再現性を改善するのに役立つ。しかしながら、これら２特許のどちらも、テスト中に人的操作によって生じる影響の排除を、どのように実施し、保証するかについて含んでいない。
【００１０】
上記特許は、高温の燃え殻の落下傾向を検知可能にする、火のついたタバコの高温の燃え殻の落下傾向を検査する装置（人が灰を叩く動作や灰を払う動作のシミュレーション、抽象的な回転テスト、機械アームの叩く力等）、方法（人の行動に基づく、又は人の行動に基づかない）、及び自動化（どのように各加力構成要素を組織化するか）の実現に関して、大きく進歩させた。しかしながら、従来技術は、どのようにタバコテスト中にタバコを装填（手動又は自動）するか、単一のタバコのテスト、テスト環境の空気の流れが国際規格の喫煙プロセスに準拠するか否かについて、十分考慮していない。上記発明の多くは、テストを何回も繰返す必要があり、且つテスト手順を、テストに応じて調整する必要があるため、作業効率を改善し、人的操作に関する影響を軽減するという目標を達成できない。
【先行技術文献】
【特許文献】
【００１１】
【特許文献１】中国特許第１０２９３７６３９．Ａ号明細書
【特許文献２】中国実用新案第２０４１６５８５０．Ｕ号明細書
【特許文献３】中国特許出願第２０１３１０２２７４６８．Ｘ号明細書
【特許文献４】中国特許出願第２０１５１０９７３２１４．１号明細書
【特許文献５】中国特許出願第２０１７１０３０３０００．２号明細書
【特許文献６】中国特許出願第２０１７１０３０２９８１．９号明細書
【非特許文献】
【００１２】
【非特許文献１】Ｐｅａｃｅ．  Ｗｏｒｌｄ  Ｎｏ  Ｔｏｂａｃｃｏ  Ｄａｙ：  Ｉｎｔｅｒｐｒｅｔａｔｉｏｎ  ｏｆ  ｆｉｒｅ  ａｃｃｉｄｅｎｔｓ  ｃａｕｓｅｄ  ｂｙ  ｃｉｇａｒｅｔｔｅ  ｂｕｔｔ  ［Ｊ］．  Ｃｈｉｎａ  Ｆｉｒｅ，  ２０１１  （１１）：  ３８−４２
【非特許文献２】ＷＡＮＧ  Ｈａｉｂｉｎ，  ＬＩＵ  Ｄｅｈｕ，  ＷＵ  Ｚｈａｏｇａｎｇ，  ｅｔ  ａｌ．  Ａｎａｌｙｓｉｓ  ａｎｄ  ｒｅｓｅａｒｃｈ  ｏｎ  ｆａｌｌｉｎｇ  ｐｈｅｎｏｍｅｎｏｎ  ｏｆ  ｃｉｇａｒｅｔｔｅ  ｂｕｒｎｉｎｇ  ｅｎｄ  ［Ａ］．  Ｃｈｉｎａ  Ｔｏｂａｃｃｏ  Ｓｏｃｉｅｔｙ  ２０１０  Ｓｙｍｐｏｓｉｕｍ  Ｓｅｔ，  ２０１０，  ２８５−２８７．
【発明の概要】
【発明が解決しようとする課題】
【００１３】
本開示の目的は、上記問題を解決することである。本開示は、複数のタバコに対するテストを実現するために、タバコの灰を払うという消費者の行動特徴に基づいて、火の点いたタバコの高温の燃え殻の落下傾向を検査する自動マルチチャネル装置、及びその検査方法を提供する。これにより、現在の、テスト中にタバコのサンプルを自動で装填するという問題、単一のサンプルに対するテスト及びテスト環境の周辺雰囲気の流れが、国際規格等に準拠するかという問題を解消できる。そのため、本開示は、テスト再現性及び作業効率を向上できる。
【課題を解決するための手段】
【００１４】
本開示の目的を、以下の技術的解決手段によって達成する：
マルチチャネル回転板ユニット（１）は、マルチチャネル回転板（１０６）、固着板（１０７）、該固着板に配置する第１空気圧継手（１１５）、伝動座（１０８）、支持座（１０９）、回転板ベース（１１４）、ステッパモータ（１１１）及び位置決め用コード板（１１０）、及び位置検知用光電スイッチを含み得る。回転板フランジ（１０３）を、伝動座（１０８）に設置する。複数のサンプル挿入穴を、マルチチャネル回転板（１０６）の円周周りに設ける。回転板（１０６）を、フランジ押圧ノブ（１０４）を介して回転板フランジ（１０３）に取付ける。マルチチャネル回転板（１０６）と固着板（１０７）を互いに密着させ、密閉構造を、空気圧継手（１１５）とサンプル挿入穴との間に設ける。マルチチャネル回転板（１０６）が、サンプル挿入穴に挿入したサンプルを、第１空気圧継手の位置まで回転させ、第１空気圧継手と同軸にすると、吸引チャネルを接続する。コード板（１１０）と位置検知用光電スイッチ（１１２）を、支持座（１０９）に設置する。マルチチャネル回転板（１０６）は、ステッパモータ（１１１）を始動することによって、回転し、ステッパモータの回転角を、コード板（１１０）及び位置検知用光電スイッチ（１１２）によって制御する。
【００１５】
タバコサンプルの自動供給ユニット（３）は、タバコ装填ベース（３０１）上に配設するタバコ装填モジュール及びタバコ押出モジュールを含み得る；タバコ装填モジュールは、タバコ収集箱（３１５）、タバコ収集箱の前ブラケット（３１７）及び後ブラケット（３１２）、タバコ収集箱の底部に設けるサンプル供給ローラ（３１３）、ローラモータ（３１０）、タバコ装填ベース上に設け、サンプル供給ローラの下に存在するタバコ摺動スロット（３１４）を含み得る。タバコ供給ガイド板（３３０）を、サンプル供給ローラ（３１３）とタバコ摺動スロット（３１４）との間に設ける。相関光電スイッチａ（３１６）と相関光電スイッチｂ（３３１）を、タバコ摺動スロットの両側に設けて、サンプルをタバコ摺動スロット（３１４）に装填したかを検知する。ローラモータ（３１０）とサンプル供給ローラ（３１３）を、ローラ結合器（３２４）によって接続し、タバコ装填ローラのコード板（３２８）を、サンプル供給ローラのシャフトに設置する。タバコ押出モジュールは、タバコ押出モータ（３０９）、タバコ押出送りねじプラットホーム設置座（３０３）、タバコ押出送りねじプラットホーム（３２６）及び設置座（３０３）に設ける押出ロッド（３２７）、タバコ押出送りねじプラットホーム（３２６）と並べて平行に配設する横向きシリンダ（３２３）を含み得る。爪シリンダ（３１８）とタバコ装填爪（３２０）を、爪設置座（３１９）によって横向きシリンダの前端部に設置する。横向きシリンダ（３２３）を、シリンダ設置座（３０２）によってタバコ装填ベース（３０１）上に固定する。押出ロッド（３２７）は、タバコ摺動スロット上方に存在し、タバコ摺動スロット内でタバコサンプルと同軸方向に配置され、タバコ摺動スロット（３１４）内のサンプルをサンプルブラケット（３２２）へと押出し得る。爪シリンダ（３１８）は、タバコ装填爪（３２０）に、サンプルをしっかりと保持させる。横向きシリンダ（３２３）は、爪設置座（３１９）を、前後に移動させ、それによりサンプルを、設定位置、即ちマルチチャネル回転板ユニット（１）にあるサンプル挿入穴の内部に送出す。
【００１６】
タバコサンプルの自動点火及び燃焼ライン検知ユニット（４）は、タバコ点火及び燃焼ライン検知ユニットの底板（４０４）、自動タバコ点火モジュール、及び底板（４０４）上に設ける燃焼ライン検知モジュールを含み得る。自動タバコ点火モジュールを、モータ（４１２）、点火器電気プラットホーム（４０９）、点火器支持座（４１６、４０６）及び点火器ヘッド（４１８）から構成し得る。点火器ヘッド（４１８）は、点火器支持座を通して点火器電気プラットホームの送りねじの駆動下で、前後に移動する。燃焼ライン検知モジュールを、燃焼ライン検知可動プラットホーム（４１９）、該燃焼ライン検知可動プラットホームに設ける燃焼ライン検知アダプタ（４０１）、プローブシャフト（４２１）、プローブ片（４２２）、及び燃焼ライン検知温度センサ（４０２）から構成し得る。プローブシャフトは、燃焼ライン検知温度センサと同軸である。点火器ヘッド（４１８）の軸とプローブシャフト（４２１）の軸は、同じ水平面上で、互いに直交して存在する。
【００１７】
タバコ保持及び加力ユニット（５）は、該保持及び加力ユニットのベース（５１３）、該ベース上に設ける払い組立体の空気圧摺動テーブル（５１４）、払い組立体の空気圧摺動テーブル（５１４）に固定するモータ摺動テーブル設置板（５１１）、及び該モータ摺動テーブル設置板（５１１）に設置する補助保持モジュールと加力及び払いモジュールを含み得る。補助保持モジュールは、該保持モジュールの一次元モータ摺動テーブル（５１２）、モータ摺動テーブルベース（５１０）一次元モータ摺動テーブルによって駆動する払い爪支持座（５０７）及び該爪支持座に接続する払い爪機構を含み得る。限界光電スイッチ（５０９）を、モータ摺動テーブルベース（５１０）上に設け、限界バッフル（５０８）を、爪支持座（５０７）上に設ける。補助保持モジュールは、力を加えるタバコサンプルをしっかりと挟持するよう機能する。そうした中で、挟持位置を、爪限界バッフル（５０８）、限界光電スイッチ（５０９）及び保持モジュールの一次元モータプラットホーム（５１２）によって調整できる。加力モジュールは、モータによって駆動する送りねじ摺動テーブル（５１５）、該送りねじ摺動テーブルに取付ける払いモジュール設置座（５１８）、該払いモジュール設置座（５１８）に設ける払いモジュールの空気圧摺動テーブル（５１９）、払いモジュールの空気圧摺動テーブル（５１９）に設置する回転シリンダ（５０６）、及び該回転シリンダによって制御する払いシート（５０２）と払いヘッド（５０１）を含み得る。加力払いモジュールは、挟持したタバコサンプルを払うように機能し、またタバコに対して払う力を加え、回転シリンダ（５０６）と払いモジュールの空気圧摺動テーブル（５１９）を合せた運動によって、払う力の強度及び持続時間を調整するように機能する。そうした中で、払う位置の調整を、零位光電スイッチ（５１６）、払いモジュール設置座（５１８）上に設ける零位スイッチバッフル（５１７）、及び払いモジュールの送りねじ摺動テーブル（５１５）によって行う。
【００１８】
自動の高温燃え殻落下検知及び除去ユニット（２）は、高温燃え殻落下ユニットベース（２１３）、及び該ベース上で並べて設置する高温燃え殻落下判断モジュールとタバコ除去可能モジュールを含み得る。高温燃え殻落下判断モジュールは、アダプタ（２０８）、該アダプタに設けるプローブベース（２１２）、該プローブベースに設置するプローブガイド管（２０９）、及びアダプタ（２０８）内に配置し、プローブガイド管の後端部に存在し、該管と同軸である高温燃え殻落下検知温度センサ（２１１）を含み得る。タバコ除去モジュールは、シリンダ設置座（２０３）、該シリンダ設置座に設けるタバコ引抜シリンダ（２０４）、及び２本のガイドシャフト（２０１）、空気圧フィンガ接続板（２０５）、タバコ引抜フィンガ（２０７）、及び該タバコ引抜フィンガの下端部で接続するタバコ引抜爪（２０６）を含み得、２本のガイドシャフト、空気圧フィンガ接続板、タバコ引抜フィンガ及びタバコ引抜爪は、タバコ引抜シリンダの両側に存在する。プローブガイド管（２０９）を、タバコ引抜シリンダの移動方向と平行に配設し、タバコ引抜爪（２０６）は、プローブガイド管（２０９）の直前で軸延長線上に存在する。
【００１９】
煙捕集ユニット（６）は、トラップ圧縮シリンダ（６０８）、押圧ロッド設置座（６０７）、トラップモジュール、煙捕集ユニット設置座（６０１）、圧縮シリンダブラケット（６０６）、及び第２空気圧継手（６１０）とガス排出継手（６１５）を含み得る。圧縮シリンダブラケット（６０６）を、角部要素（６０２）を介して煙捕集ユニット設置座（６０１）に固定する。トラップ圧縮シリンダ（６０８）を、押圧ロッド設置座（６０７）に固定する。トラップ圧縮シリンダに固定した第２空気圧継手（６１０）の後端部を、マルチチャネル回転板ユニット（１）における第１空気圧継手（１１５）と接続する。ガス排出継手（６１５）を、煙捕集ユニット設置座（６０１）に固定し、ガス排出継手の他端部を、吸引ユニットに接続する。捕集ユニットを使用して、マルチチャネル回転板ユニット（１）の各チャネル内でタバコの喫煙によって生成されたガスを捕集し、ガス内の不純物を濾過する。
【００２０】
吸引ユニットは、吸引シリンダ、モータ、及びベース上に配置した摺動レール座を含み得る。モータシャフトと接続する可動ブロックを、摺動レール座に設置する。ピストンを、モータによって駆動して、吸引動作を実行する。ベースと吸引モータブラケットを、吸引ユニット支持ロッドに固定する。
【００２１】
電気回路及び空気通路制御ユニットは、命令を電磁弁に送信し得る。命令を、時系列で送信する。電磁弁は、空気圧実行部を制御して、関係する操作を実行する。制御ユニットは、モータに命令を送信し、電気実行部を、モータによって制御して、関係する操作を実行する。
【００２２】
マルチチャネル回転板ユニット（１）では、密閉構造を、回転板（１０６）上に設け、密閉構造は、ラビリンスリングスリーブ（１０１）、ラビリンスリング（１１８）、ラビリンスリング接続座部（１１７）、及びバリシール（１１６）を含む。バリシールは、回転板と固着板を互いに取着する位置にある。ラビリンスリングスリーブ、ラビリンスリング、及びラビリンスリング接続座部を、回転板のサンプル挿入穴に配設し、それにより吸引チャネルのシールを形成する。回転板の取外し、掃除及び設置を容易にするために、ハンドルを、回転板の表面に設置する。
【００２３】
マルチチャネル回転板ユニット（１）では、ステッパモータ（１１１）と回転板フランジ（１０３）を、ボルトによって接続し、回転板フランジ（１０３）と回転板（１０６）を、フランジ押圧ノブ（１０４）によって接続する。
【００２４】
自動の高温燃え殻落下検知及び除去ユニット（２）では、２本のガイドシャフト（２０１）を、リニア軸受（２０２）によってシリンダ設置座（２０３）に配設し、タバコ引抜シリンダ（２０４）の両側に対称的に配置する。
【００２５】
タバコサンプルの自動点火及び燃焼ライン検知ユニット（４）では、他の関連機器と接続する側部固着座（４０８）を、ユニット底板（４０４）の片側に設ける。点火器の光電スイッチ（４０５）を、側部固着座（４０８）に設ける。点火器電気プラットホーム（４０９）を、側部固着座（４０８）に固定する。点火器光電スイッチバッフル（４０７）を、点火器電気プラットホーム（４０９）に配設し、バッフル（４０７）は、光電スイッチ（４０５）と協働し、それにより点火器ヘッド（４１８）が、毎回初期位置に走り、それによって、異なる長さを有するタバコの点火位置の設定を達成できるようにする。
【００２６】
タバコサンプルの自動供給ユニット（３）では、タバコ押出バッフル（３２５）を、タバコ押出バッフル設置座（３０６）を介して、タバコ押出送りねじプラットホーム（３２６）に設ける。押出ロッド（３２７）を、タバコ押出バッフル（３２５）に設けて、タバコ摺動スロット（３１４）内のタバコを、前方に移動させる。
【００２７】
タバコサンプルの自動供給ユニット（３）では、ローラ光電スイッチ（３２９）を、タバコ収集箱の後ブラケット（３１２）に設けて、回転中にサンプル送りローラの初期位置を判断する。
【００２８】
タバコサンプルの自動供給ユニット（３）では、タバコ押出光電スイッチ（３０４）を、タバコ押出送りねじプラットホーム設置座（３０３）に設けて、タバコ押出送りねじプラットホーム（３２６）の初期位置を判断する。タバコ押出バッフル（３２５）を、タバコ押出バッフル設置座（３０６）を介して、タバコ押出送りねじプラットホーム（３２６）に設ける。押出ロッド（３２７）を、タバコ押出バッフル（３２５）に設けて、タバコ摺動スロット（３１４）内のタバコを押出して、前方に移動させる。タバコ押出送りねじプラットホーム設置座（３０３）を、ベース（３０１）に固定し、モータを、結合器を介して、タバコ押出送りねじプラットホーム（３２６）と接続する。
【００２９】
タバコ保持及び加力ユニット（５）において、払い爪機構は、払い爪設置座（５０３）、該払い爪設置座（５０３）に設置するタバコ払い空気圧爪（５２２）、下爪座（５２３）、下爪（５２４）、及び上爪（５２５）を含み得る。軟質のシリコンパッドを、上下爪に設ける。制御ユニットと組合せることによって、機構は、灰を払うときの人の保持形態及び保持強度をシミュレーションできる。
【００３０】
煙捕集ユニット（６）において、トラップモジュールは、トラップ押圧開口部（６０９）、フィルタ座（６１１）、フィルタカバー（６１２）、フィルタ（６１３）、トラップトレー（６０３）、及びトラップアダプタ（６１４）を含み得る。
【００３１】
火の点いたタバコの高温の燃え殻の落下傾向を検査する自動マルチチャネル装置を使用することによって火の点いたタバコの高温の燃え殻の落下傾向を検査する方法は、以下の検知プロセスを含み得る：装置の電源をＯＮし、自動初期化を完了し、タバコサンプルの自動供給ユニットが、タバコ装填動作を実行するように運転した後、マルチチャネル回転板ユニットに配置した回転板は、回転し、回転板がＮ回回転したかを判断し、ＮＯなら、タバコサンプルの自動供給ユニットは、引続き運転して、タバコ装填動作を実行し、回転板が１回回転して、再び判断を実行した後に、ＹＥＳなら、タバコサンプルに自動的に点火し、燃焼ライン検知ユニットと吸引ユニットが、運転する；タバコの点火を完了し、回転板が一回回転した後、その時点で回転板がＮ回回転したかを判断し、ＮＯなら、タバコサンプルに自動的に点火して、燃焼ライン検知ユニットと吸引ユニットを引続き運転して、点火動作を実行し、直ちに回転板が１回回転した後、判断がＹＥＳなら、タバコ保持及び加力ユニットが、運転して、タバコを払う動作を完了する；次に、自動の高温燃え殻落下検知及び除去ユニットが運転し、火のついたタバコの高温の燃え殻の落下が、払い後に発生したかを判断し、ＹＥＳなら、タバコ押出爪は、タバコを灰ホッパに入れるよう動作し、そうでなければ、プロセスは、次のステップに進む、即ち、タバコサンプルを自動的に点火し、燃焼ライン検知ユニットが運転する；燃焼ラインに到達したかを判断して、ＹＥＳなら、タバコ引抜爪が、灰ホッパにタバコを入れるよう動作し、そうでなければ、上記動作を繰返し、運転状態を、ソフトウェアに記録する。
【００３２】
本発明による装置の構造、設置方法、作動原理、及び作動プロセスについて、以下で更に記載する。
【００３３】
本発明による火の点いたタバコの高温の燃え殻の落下傾向を検査する自動マルチチャネル装置は、マルチチャネル回転板ユニット、自動の高温燃え殻落下検知及び除去ユニット、タバコサンプルの自動供給ユニット、タバコサンプルの自動点火及び燃焼ライン検知ユニット、テスト中のタバコ保持及び加力ユニット、煙捕集ユニット、吸引ユニット、吸引プロセス中のガス排出ユニット、及び主枠ユニットを含み得る。各機能ユニットを、空気通路ユニット及び制御回路と効果的に接続、統合し、各構成要素を連接するための制御方法構成を、テスト要件に従い完成し、プログラマブルコントローラによって達成する。火の点いたタバコの高温の燃え殻の落下傾向を検査する自動マルチチャネル装置の基本機能を、以下のステップ：タバコサンプルをタバコサンプルの自動供給ユニット内に置き、タバコを、一連の機械動作（全サンプルを回転板に挿置するまで前の動作を繰返す）を通してマルチチャネル回転ユニットへと押出すステップ；タバコサンプルの自動点火及び燃焼ライン検知ユニットが、上記プロセスで提供したタバコに順次点火するステップ；点火したタバコが加力位置まで到達し、補助的な保持、加力及び他の動作を、タバコ保持及び加力ユニットによってテストサンプルに対して実行するステップ；自動の高温燃え殻落下検知及び除去ユニットによって、前のタバコサンプルの高温の燃え殻の落下状態の検知を実行するステップであって、力を加えた後に高温の燃え殻の落下があれば、制御ユニットによって当該サンプルを取出し、力を加えた後に高温の燃え殻の落下がなければ、制御ユニットによってサンプルを再配置し、吸引動作、加力動作及び高温燃え殻検知動作を、高温の燃え殻の落下がない全タバコが、燃焼ラインの位置に到達し、引抜かれ、その後サンプルが全テストを完了するまで、繰返す、ステップによって達成し得る。テスト中に、自動の高温燃え殻落下検知及び除去ユニット、自動供給ユニット、自動点火及び燃焼ライン検知ユニット、保持及び加力ユニット、吸引ユニット、煙捕集ユニット及び煙排出ユニットを、各ユニットにある関連する構成要素に対する動作を実行するように、関連する実行部を制御する、制御ユニット及び制御方法の下で、全て制御する。  
【００３４】
本発明によると、マルチチャネル回転板ユニットは、サンプルのためのマルチチャネル回転板構造、サンプル吸引チャネルの接続及び密閉、回転板構造の中空管等を実現し、関係する検知構成要素及びモータ起動機構を、サンプルを、ＩＳＯ３３０８吸引条件下でテストするように、配置する。かかるユニットを、以下の構成によって達成する。伝動座ベースを、主枠に固着し、伝動座を、ベース上方に設置する（伝動座ベースを、電気モード又は空気圧モードで使用し得る）。伝動座の一端部にある回転面は、回転板フランジを備え、マルチチャネル回転板を、フランジ押圧ノブを介して回転板フランジに嵌合する。固着板の一端部を、回転板の固着面に設置する。密閉構造を、回転板と固着面との間に接続する。密閉構造は、ラビリンスリングカバー、ラビリンスリング、ラビリンスリング接続座、及びバリシールを含む。第１空気圧継手を、固着板に設置する。回転板が、回転して、第１空気圧継手の位置までサンプルを送り、第１空気圧継手と同軸になると、サンプルは、吸引ユニットと連通する。マルチチャネル回転板を、ステッパモータによって駆動し、マルチチャネル回転板を位置決めするためのコード板と位置検知用光電スイッチを、支持座に設置する。マルチチャネル回転板を、ステッパモータを始動することによって回転するよう駆動し、ステッパモータの回転角を、コード板と位置検知用光電スイッチによって制御し、それによりサンプルと第１空気圧継手を、密閉構造と同軸にして、マルチチャネルのサンプルに対する検知条件を満たすようにする。ハンドルを、回転板の前に設置して、回転板の取外し、掃除、及び設置を容易にする。マルチチャネル回転板を、複数のサンプルチャネルに装填するように配置する。テスト要件に応じて、チャネルを、８チャネルまで設定できる。このユニットの全体的な設計により、複数のサンプルの同時テストが可能になる。位置検知により、ステッパモータを制御し得、その結果、吸引要件とタバコとの有効な関係を達成できる。サンプル、構造シール、及び第１空気圧継手の同軸設計だけでなく、マルチチャネル回転板の設計により、吸引プロセスが、ＩＳＯ３３０８の吸引条件や、喫煙機に対する風速要件を満たすことを達成し得る。
【００３５】
本発明による自動の高温燃え殻落下検知及び除去ユニットを、高温燃え殻落下判断モジュール、タバコ除去モジュール、及び自動的にこのプロセスを実行する実行部を設けることによって、達成する。具体的には、タバコ除去モジュールを、２つの平行なリニア軸受を介してシリンダ設置座に設置する。ガイドシャフトを、リニア軸受の中央に設置し、タバコ引抜シリンダを、２つの平行なリニア軸受間に設置し、シリンダ設置座に固定する。ガイドシャフトとタバコ引抜シリンダを、サンプルを取出すための空気圧フィンガ接続板の一端部で固定し、空気圧フィンガ接続板の他端部を、空気圧フィンガに接続する。引抜爪を、サンプルを取出すための空気圧フィンガの下に取付ける。高温燃え殻落下判断モジュールは、ベース、アダプタ、及び該アダプタ内に設置する高温燃え殻落下検知温度センサーを含み得る。高温燃え殻落下検知温度は、プローブガイドパイプと同軸である前端部を有する。プローブ接続ゴングスリーブを、プローブガイドパイプとプローブ座との間に接続する。このユニットの動作を、上流の電磁弁を制御することによって、実施する。このユニットの作動プロセスを、以下のように説明する。マルチチャネル回転板上のタバコサンプルを、このユニットがある位置まで回転する。タバコサンプルの燃焼円錐面の温度を、このユニットに設けた高温燃え殻落下検知温度センサによって検知する。温度のテスト値を使用して、判断を実行し、その際、検知温度の値が設定温度より高いなら、例えば、設定温度が８０℃であり、検知温度が８０℃より高いとき、サンプルは全く高温の燃え殻の落下がないと判断し、自動タバコ除去モジュールを、サンプルを再配置するよう始動する。その一方で、検知温度が設定温度より低いなら、例えば、設定温度が８０℃であり、検知温度が８０℃より低いとき、タバコ除去モジュールを起動して、サンプルを取出す。このユニットの設計は、タバコの高温の燃え殻の状態の自動検知を実現し、フィンガ接続板とサンプル除去爪を、サンプルの除去を設定することによって始動し、制御ユニットがデータを収集した後に論理的な判断を実行し、サンプル除去操作を開始して、フィンガ接続板とサンプル除去爪を、サンプルの取出し及びサンプルの再配置の操作を実行するよう始動する。このユニットを設けることで、テストプロセス中、サンプルの高温の燃え殻の落下状態の自動検知を実現し、データを制御ユニットによって収集した後に、論理的な判断によってサンプルの自動除去及び再配置の操作を実行する。これにより、効果的に人の影響を解消し、検知効率を向上させ得る。
【００３６】
本発明によると、タバコサンプルの自動供給ユニットを、タバコ供給モジュール、タバコ押出モジュール、及び関係する制御モジュールの組合せで、主に構成し得る。これらモジュール全てを、供給ユニットベースに設置する。タバコ供給モジュールは、主に、ローラモータ、モータブラケット、タバコ収集箱の後ブラケット、ローラ、タバコ摺動スロット、タバコ収集箱、相関光電スイッチａ、タバコ収集箱の前ブラケット、サンプルブラケット、相関光電スイッチｂ、タバコ供給ガイド板、ローラ光電スイッチ、サンプル送りローラのコード板、ローラ結合器等から構成し得る。作動プロセスについて、以下のように説明できる。テストするサンプル（数本のタバコ）をタバコ収集箱に入れ、タバコ収集箱内のテストするサンプルを、重力により、自然にタバコ摺動スロットに供給する。タバコ収集箱を、タバコ収集箱の前ブラケットと後ブラケットに固定し、ローラを、前ブラケットと後ブラケットの間に設置する。タバコ装填ローラのコード板を、ローラの後端部に設け、タバコ装填ローラのコード板と、ローラ結合器の一端部とを接続し、該結合器の他端部をローラモータと接続する。ローラモータを、モータブラケットに取付ける。モータブラケットを、タバコ収集箱の後ブラケットに固定し、ローラ光電スイッチをモータブラケットの下に設置する。タバコ供給ガイド板は、ローラの下に存在し、該ガイド板を、タバコ収集箱の前ブラケットと後ブラケットの間に設置する。タバコ摺動スロットを、タバコ供給ガイド板の下に設け、タバコ装填ベースに設置する。相関光電スイッチａと相関光電スイッチｂを使用して、サンプルがタバコ摺動スロットに進入したかを検知する。タバコ押出モジュールを、主に、タバコ押出モータ、モータ設置座、結合器、タバコ押出バッフル設置座、軸受ベース、タバコ押出光電スイッチ、タバコ押出送りねじプラットホーム設置座、シリンダ設置座、爪シリンダ、爪設置座、タバコ装填爪、横向きシリンダ、押出ロッド、タバコ押出送りねじプラットホーム、タバコ押出バッフル等から構成し得る。押出ロッドは、タバコ摺動スロットの上方に存在する。タバコ押出バッフルの一端部は、タバコ押出バッフル設置座に設置され、他端部は、押出ロッドを備える。タバコ送りねじプラットホームの下部を、送りねじプラットホーム設置座に固定し、上部を、押出ロッドバッフル設置座に接続し、固定する。タバコ押出モータは、押出ロッドバッフル設置座の背後に存在し、該モータを、モータ設置座に設置する。軸受ベースは、モータ設置座の直前で、ねじプラットホーム設置座の上方に存在し、軸受ベースを、ねじプラットホーム設置座と固定し、結合器を、モータ設置座とねじプラットホーム設置座の間に設置する。結合器の一端部を、タバコ押出モータと接続し、結合器の他端部を、タバコ押出送りねじプラットホームと接続する。横向きシリンダは、タバコ押出送りねじプラットホームの右側に存在し、横向きシリンダの他端部を、シリンダ設置座と固定接続する。シリンダ設置座を、タバコ装填ベースに設置する。爪設置座を、横向きシリンダの前に取付ける。爪シリンダを、爪設置座に設置し、爪シリンダの他端部は、タバコ装填爪を備える。タバコ押出光電スイッチを、送りねじプラットホーム設置座に設置し、該スイッチは、軸受ベースの前で右側に存在する。これらの接続関係により、確実に、タバコ押出モジュールを正常運転させる。作動プロセスを、以下のように説明できる。ローラモータを、ローラ結合器によって始動及び駆動し、その結果、ローラを回転させ、それによりサンプルが、タバコ供給ガイド板を通過し得、光電スイッチａ及び光電スイッチｂによって、サンプルがタバコ摺動スロット内に落下したかを判断するようにする。テストするサンプルが、摺動スロット内に存在するなら、タバコ押出モータを始動して、該モータが、結合器を回転させ、それによって、タバコ押出送りねじプラットホームを、前後に移動させる。それに伴い、タバコ押出バッフル設置座、押出ロッドバッフル、及び押出ロッドは、前後に移動し、サンプルを、サンプルブラケットへと押す。その後、サンプルを、爪シリンダによって駆動するタバコ装填爪によって挟持する。爪設置座を、横向きシリンダによって駆動して、サンプルを、マルチチャネル回転板ユニット上のサンプル設置位置に持ってくるように、前後に移動した後、タバコ装填爪は、開き、元の位置に戻り、マルチチャネル回転板ユニット上のサンプル設置位置で、次のタバコが押出されるのを待つ。タバコ押出モジュールは、サンプルを正確に押出して、マルチチャネル回転板ユニット上のサンプル設置位置にあるタバコ摺動スロットに入れるよう機能する。火の点いたタバコの高温の燃え殻の落下を検査する自動マルチチャネル装置におけるタバコサンプルの自動供給ユニットの作動プロセスは、マルチチャネル回転板ユニット上のサンプル設置位置にタバコサンプルを自動的に設置することを実現し、サンプルをテスト位置に手動で設置する影響を排除し、その結果作業効率や設置再現性を向上させた。
【００３７】
本発明によるタバコサンプルの自動点火及び燃焼ライン検知ユニットは、主に、自動点火モジュールと燃焼ライン検知モジュールを含み得る。自動点火モジュールは、点火器アダプタ、高温燃え殻落下検知用光電スイッチ、下点火器支持座、点火器光電スイッチバッフル、タバコ点火ユニット底板、点火器電気プラットホーム、フランジ接続板、モータフランジ、モータ、結合器、点火器ハンドル、点火器ロッド、上点火器支持座、点火器固定スリーブ、点火器ヘッド、及び他の構成要素から主に構成し得、以下の機能を有する。火の点いていないタバコがユニットの位置に到達すると、点火器電気プラットホームと点火器を、モータによって駆動して、タバコの端部へと移動させる。点火器電気プラットホームと点火器が設定位置に移動すると、点火スイッチをＯＮにして、自動点火機能を実行する。燃焼ライン検知モジュールを、アダプタ、燃焼ライン検知温度センサ、アダプタカバー、可動プラットホーム（即ち、燃焼ライン検知可動プラットホーム）、プローブ連接ゴングスリーブ、プローブ棒、プローブシート、及び他の構成要素から主に構成し得る。燃焼ライン検知モジュールには、以下の機能がある。火の点いたタバコの燃焼ラインが設定位置に到達すると、アダプタに固定した燃焼ライン検知ユニットは、火の点いたタバコの燃焼ラインの位置を検知し、全運転プロセスは、終了する。
【００３８】
本発明のテストでは、タバコ保持及び加力ユニットは、火の点いたタバコの高温の燃え殻の落下傾向を検査する自動マルチチャネル装置のコア構成要素である。このユニットは、タバコサンプルに関する補助保持モジュール及び加力モジュールを含み得る。補助保持モジュールは、払い爪設置座、払い爪支持座、爪限界バッフル、限界光電スイッチ、モータ摺動テーブルベース、保持モジュールの一次元プラットホーム、払い空気圧爪、下払い爪座、下払い爪、上払い爪等を含み得る。補助保持モジュールは、力を加えてサンプルをしっかりと挟持するよう機能し得る。軟質のシリコンパッドを、上下爪に設けて、両爪は、人が灰を払う動作として、人の保持形態及び挟持強度をシミュレーションするように、制御ユニットと協働する。そうした中で、保持位置の調整を、爪限界バッフル、限界光電スイッチ及び保持モジュールの一次元プラットホームによって、実行できる。加力モジュールは、払いヘッド、払いシート、上振動減衰シート、回転シリンダ設置座、回転シリンダ、モータ摺動テーブル設置板、払い組立体ベース、払い組立体空気圧摺動テーブル、払いモジュール送りねじ摺動テーブル、零位光電スイッチ（ｎｕｌｌ  ｐｈｏｔｏｅｌｅｃｔｒｉｃ  ｓｗｉｔｃｈ）、零位スイッチバッフル、払いモジュール設置座、払いモジュール空気圧摺動テーブル、払いシート設置座、及び下振動減衰シートを含み得る。加力モジュールを使用して、タバコを払う。タバコに対する加力操作及び払い強度と持続時間の調整を、回転シリンダと払いモジュール空気圧摺動テーブルを組合せた動きによって、達成できる。そうした中で、払い位置の調整を、零位光電スイッチ、零位スイッチバッフル及び払いモジュール送りねじ摺動テーブルによって達成できる。タバコサンプルの挟持を、解放し、モジュール全体は、加力操作を完了した後に、初期位置に移動する。このユニットは、タバコサンプルに対する加力操作のための設定モードを効果的に実装し得、プロセス中のモジュールに関する、全体の動き、補助保持、加力、及びリセットに関する自動運転を実現する。更にまた、プロセスパラメータの全ては、調整可能且つ制御可能である。
【００３９】
本発明によると、吸引プロセス中に、煙捕集ユニットは、複数チャネルのそれぞれにおいて、タバコの煙を主に捕集して、該プロセス中のパイプラインに対する汚染を軽減させて、確実に装置全体を長期間安定して使用できるようにする。捕集ユニットは、押圧ロッド設置座を主に含み得、該押圧ロッド設置座を、圧縮シリンダブラケットに固定する。圧縮シリンダブラケットを、角部要素によって煙捕集ユニット設置座に固定し、トラップ圧縮シリンダを、押圧ロッド設置座に固定する。トラップ押圧開口部を、トラップ圧縮シリンダの端部に固定する。トラップ圧縮シリンダに固定した空気圧継手の後端部を、マルチチャネル回転板と接続する。トラップアダプタを、煙捕集ユニット設置座に直接固定する。トラップトレーを、３本の標準的なシャフトロッドを介して、煙捕集ユニット設置座に固定する。ガス排出継手を、煙捕集ユニット設置座に固定し、ガス排出継手の他端部を、吸引ユニットと接続する。フィルタ座を、トラップトレー内に置き、フィルタを、フィルタ座内に置く。フィルタカバーを、フィルタ留め三角クリップを介して、フィルタ座に固定する。トラップ圧縮シリンダがトラップ押圧開口部を、フィルタカバーの表面へと下方に移動させると、密閉した空洞が、フィルタ座、フィルタ、及びトラップアダプタで形成される。吸引ユニットが吸引運転を実行すると、捕集ユニットは、吸引ガス中の不純物を濾過でき、それによって、確実に、吸引ユニット内部を清潔にし、長期間効率的に使用できる。
【００４０】
本発明によると、吸引ユニットは、摺動レール及び摺動レール座、摺動レール座上に設ける移行ブロック、移行ブロックに設置し、モータシャフトと接続する可動ブロックを含み得、吸引ピストンを、モータによって駆動して、吸引動作を実行する。モータを、吸引モータブラケットに設置し、モータ接続板を、モータに設置する。ピストンガラス管を、モータ接続板と吸引シリンダベースと接続し、テンションロッドとシリンダ調整ナットを使用して、締着する。零位吸引光電スイッチを、ベースに固定する。ベースと吸引モータブラケットを、吸引ユニット支持ロッドに固定する。
【００４１】
本発明の火の点いたタバコの高温の燃え殻の落下傾向を検査する自動マルチチャネル装置では、制御ユニットは、命令を制御ユニットによって電磁弁に主に送信する。命令を、時系列で送信する。電磁弁は、空気圧実行部を制御して、関係する操作を実行する。更に、制御ユニットは、命令をモータに送信し、該モータは、電気実行部を制御して、関係する操作を実行する。光電スイッチは、電気実行部の初期位置を制御する。燃焼ラインとタバコサンプルの高温の燃え殻の落下状態を、赤外線検知器によって検知して、制御を実行して運転を停止するか又はサンプルを除去するかを判断する。制御ユニットの実装について、以下にように説明できる。全体的な検知装置の運転を、制御ユニットのプログラムによって制御する。各ユニットに設ける絞り弁は、シリンダの動きの速度を調整するように機能する。電気実行部、空気圧実行部及び光電スイッチを使用して、払う動作及び保持動作と払う位置及び加力位置を制御する。タバコサンプルの自動点火及び燃焼ライン検知ユニットに配置する電気実行部と光電スイッチを使用して、点火器ヘッドの動きを制御する。タバコサンプルの自動供給ユニットに配置する電気実行部、空気圧実行部、及び光電スイッチを使用して、押出ロッドとローラの回転サンプル送りの動きを制御する。マルチチャネル回転板ユニットに配置する電気実行部と光電スイッチを使用して、回転板の回転を制御する。そうした中で、制御ユニットのプログラムは、総空気圧を調整するよう、圧力調節弁を制御する。
【００４２】
火の点いたタバコの高温の燃え殻の落下傾向を検査する自動マルチチャネル装置を使用することによって、火の点いたタバコの高温の燃え殻の落下傾向を検査する方法は、以下の検知プロセスを含み得る：装置の電源をＯＮし、自動初期化を完了し、タバコサンプルの自動供給ユニットが、タバコ装填動作を実行するように運転した後、マルチチャネル回転板ユニットに配置した回転板は、回転して、回転板がＮ回回転したかを判断し、ＮＯなら、タバコサンプルの自動供給ユニットは、引続き運転し、タバコ装填動作を実行し、回転板が１回回転して、再び判断を実行した後に、ＹＥＳなら、タバコサンプルを自動的に点火し、燃焼ライン検知ユニットと吸引ユニットは運転する；タバコの点火を完了し、回転板が１回回転した後、その時点で回転板がＮ回回転したかを判断し、ＮＯなら、タバコサンプルを自動的に点火して、燃焼ライン検知ユニットと吸引ユニットを引続き運転して、点火動作を実行し、直ちに回転板が１回回転した後、判断がＹＥＳなら、タバコ保持及び加力ユニットが、運転して、タバコを払う動作を完了する；次に、自動の高温燃え殻落下検知及び除去ユニットは、運転して、火のついたタバコの高温の燃え殻の落下が、払い後に発生したかを判断し、ＹＥＳなら、タバコ押出爪は、タバコを灰ホッパに入れるよう動作し、そうでなければ、プロセスは、次のステップに進む、即ち、タバコサンプルを自動的に点火し、燃焼ライン検知ユニットが運転する；燃焼ラインに到達したかを判断して、ＹＥＳなら、タバコ引抜爪が、灰ホッパにタバコを入れるよう動作し、そうでなければ、上記動作を繰返し、運転状態を、ソフトウェアに記録する。
【００４３】
本発明は、複数のタバコの同時テストを実現し得、テスト再現性や作業効率を向上させるために、タバコの装填、自動サンプル供給、自動タバコ点火及び燃焼ライン検知、加力テスト、高温燃え殻落下検知、及びタバコの引抜き等の一連の動作を自動的に実行できる。
【図面の簡単な説明】
【００４４】
【図１】本発明の例示の実施形態による火の点いたタバコの高温の燃え殻の落下傾向を検査する自動マルチチャネル装置の正面図である。
【図２】本発明の例示の実施形態による火の点いたタバコの高温の燃え殻の落下傾向を検査する自動マルチチャネル装置の背面図である。
【図３】図１に示した火の点いたタバコの高温の燃え殻の落下傾向を検査する自動マルチチャネル装置のマルチチャネル回転板ユニットの概略構造図である。
【図４】図１に示した火の点いたタバコの高温の燃え殻の落下傾向を検査する自動マルチチャネル装置の高温燃え殻落下検知ユニットを示す概略構造図である。
【図５】図１に示した火の点いたタバコの高温の燃え殻の落下傾向を検査する自動マルチチャネル装置のためのタバコサンプルの自動供給ユニットを示す概略構造図である。
【図６】図１に示した火の点いたタバコの高温の燃え殻の落下傾向を検査する自動マルチチャネル装置の点火ユニットを示す概略構造図である。
【図７】図１に示した火の点いたタバコの高温の燃え殻の落下傾向を検査する自動マルチチャネル装置の保持及び払いユニットを示す概略構造図である。
【図８】図１に示した火の点いたタバコの高温の燃え殻の落下傾向を検査する自動マルチチャネル装置の煙捕集ユニットの概略構造図である。
【図９】図１に示した火の点いたタバコの高温の燃え殻の落下傾向を検査する自動マルチチャネル装置の吸引ユニットの概略構造図である。
【図１０】図１に示した火の点いたタバコの高温の燃え殻の落下傾向を検査する自動マルチチャネル装置のテストフローチャートである。
【図１１】図１に示した火の点いたタバコの高温の燃え殻の落下傾向を検査する自動マルチチャネル装置の制御ユニットの概略構造図である。
【図１２】図５に示したタバコサンプルの自動供給ユニットの別の角度の不等角投影図である。
【図１３】図５に示したタバコサンプルの自動供給ユニットの平面図である。
【図１４】図８に示したトラップユニットの分解する図である。
【発明を実施するための形態】
【００４５】
本開示の例示の実施形態について、添付図を参照して、以下で詳細に記載するが、同じ参照番号は、同様の要素を指すものとする。しかしながら、本開示は、多くの異なる形で具現化し得、本明細書で記述する実施形態に限定するものとして解釈されるべきでない；むしろ、これらの実施形態は、本開示が、丁寧（ｔｈｏｒｏｕｇｈ）且つ完全となるように、また当業者に本開示の概念を十分伝えるように、提供する。
【００４６】
次に、本発明の例示の実施形態について、添付図を参照して、詳細に記載する。火の点いたタバコの高温の燃え殻の落下傾向を検査する自動マルチチャネル装置は、マルチチャネル回転板ユニット１、自動の高温燃え殻落下検知及び除去ユニット２、自動サンプル供給ユニット３、自動点火及び燃焼検知ユニット４、保持及び加力ユニット５、トラップユニット６、灰ホッパ７、電気回路及び空気通路制御ユニット１０、吸引ユニット８、煙排出ユニット９、主枠１１等を、図１及び図２に示すように、含み得る。
【００４７】
本発明の一実施形態において、火の点いたタバコの高温の燃え殻の落下傾向を検査する自動マルチチャネル装置のマルチチャネル回転板ユニットを、図３に示している。回転板ユニットを、回転板ベース１１４によって、主枠１１に主に設置する。伝動座１０８を、回転板ベース１１４の上方に設置し、回転板フランジ１０３を、伝動座１０８の一端部にある回転面に設置する。回転板１０６を、フランジ押圧ノブ１０４によって回転板フランジ１０３に取付ける。固着板１０７の一端部を、伝動座１０８の固定面に取付け、他端部は、バリシール（Ｖａｒｉｓｅａｌ）１１６と接触して、確実に、回転板１０６を、回転中に密閉状態に保てるようにする。各バリシール１１６を、ラビリンスリング接続座１１７の端面スロットに取付ける。ラビリンスリング接続座１１７を、回転板１０６の８個の均一に分布させた取付け穴に配置する。ラビリングリングスリーブ１０１とラビリンスリング接続座１１７を、密閉リングによって接続し、４個のラビリンスリング１１８を、その間に配設して、タバコサンプル２を保持する。第１空気圧継手１１５を、固着板１０７に取付ける。サンプル１０２は、回転板１０６がサンプル１０２を第１空気圧継手１１５と同軸となるように移動させると、吸引ユニット８と連通状態になる。ハンドル１０５を、回転板１０６の前面に配置して、回転板１０６の取外し、掃除、及び設置を容易にする。伝動座１０８を、ステッパモータ１１１によって駆動し、伝動座を位置決めするためのコード板１１０と光電スイッチ１１３を、支持座１０９に取付ける。回転板１０６は、ステッパモータ１１１を始動することによって、回転し、ステッパモータ１１１の回転角度を、コード板１１０及び光電スイッチ１１３によって制御し、それによりタバコサンプル１０２、ラビリンスリングスリーブ１０１、ラビリンスリング１１８、ラビリンスリング接続座部１１７、バリシール１１６及び第１空気圧継手１１５を、同軸にして、複数のサンプル穴に保持したタバコサンプル１０２の検知条件を満たすようにする。
【００４８】
本発明の一実施形態において、火の点いたタバコの高温の燃え殻の落下傾向を検査する自動マルチチャネル装置の高温燃え殻落下検知ユニットを、図４に示している。高温燃え殻落下検知ユニットを、主に２つの同じリニア軸受２０２によってタバコ引抜シリンダ設置座２０３の上に設置する。ガイドシャフト２０１を、２つのリニア軸受２０２の間に設置し、タバコ引抜シリンダ２０４を、２つの同じリニア軸受２０２間に配設する。タバコ引抜シリンダ２０４を、タバコ引抜シリンダ設置座２０３上に取付ける。ガイドシャフト２０１とタバコ引抜シリンダ２０４を、タバコ引抜空気圧フィンガ接続板２０５の一端部に取付け、タバコ引抜空気圧フィンガ接続板２０５の他端部を、タバコ引抜空気圧フィンガ２０７と接続する。タバコ引抜爪２０６を、タバコ引抜空気圧フィンガ２０７の下に設ける。アダプタ２０８を、高温燃え殻落下ユニット設置ベース２１３の右上面に配設する。高温燃え殻落下検知温度センサ２１１を、アダプタ２０８内部に設置し、該センサの前端部を、プローブガイド管２０９と同軸にする。プローブガイド管２０９とプローブ座２１２を、プローブ接続ゴングスリーブ２１０によって接続する。サンプルの表面温度を、高温燃え殻落下検知温度センサ２１１によって検知し、それによりタバコ引抜シリンダ２０４は、タバコ引抜空気圧フィンガ接続板２０５を、前後に移動させ、タバコ引抜空気圧フィンガ接続板の動きの安定性を、ガイドシャフト２０１によって、安定した状態に維持する。タバコ引抜シリンダ２０４が特定の位置に到達した後、タバコ引抜空気圧フィンガ２０７は、始動され、タバコ引抜爪２０６に、サンプルを除去又は持ち直させる。
【００４９】
一実施形態において、火の点いたタバコの高温の燃え殻の落下傾向を検査する自動マルチチャネル装置のタバコサンプルの自動供給ユニットを、図５、図１２及び図１３に示している。タバコサンプルの自動供給ユニットを、主に、タバコ供給モジュール及びタバコ押出モジュールから構成し得、両モジュールを、タバコ装填ベース３０１上に設置する。タバコ供給モジュールを、ローラモータ３１０、モータブラケット３１１、タバコ収集箱の後ブラケット３１２、ローラ３１３、タバコ摺動スロット３１４、タバコ収集箱３１５、相関光電スイッチａ３１６、タバコ収集箱の前ブラケット３１７、サンプルブラケット３２２、相関光電スイッチｂ３３１、タバコ供給ガイド板３３０、ローラ光電スイッチ３２９、タバコ装填ローラのコード板３２８、及びローラ結合器３２４から主に構成し得る。タバコ供給モジュールは主に、タバコ３２１をタバコ収集箱３１５の内部からタバコ摺動スロット３１４に供給するよう機能する。タバコサンプル３２１を、タバコ収集箱３１５内部に置く。タバコ収集箱３１５を、タバコ収集箱の前ブラケット３１７及び後ブラケット３１２に固定し、ローラ３１３を、前ブラケット３１７と後ブラケット３１２の間に配置する。タバコ装填ローラのコード板３２８を、ローラ３１３の後端部に設置する。ローラ結合器３２４の一端部を、タバコ装填ローラのコード板３２８に連結し、他端部を、ローラモータ３１０に連結する。ローラモータ３１０を、モータブラケット３１１に取付ける。モータブラケット３１１を、タバコ収集箱の後ブラケット３１２に固定し、ローラ光電スイッチ３２９を、ローラモータブラケットの下に取付ける。タバコ供給ガイド板３３０は、ローラ３１３の下に存在し、タバコ供給ガイド板３３０を、タバコ収集箱の前ブラケット３１７と後ブラケット３１２の間に取付ける。タバコ摺動スロット３１４を、タバコ供給ガイド板３３０の下に配置し、タバコ装填ベース３０１に取付ける。相関光電スイッチｂ３３１を、タバコ供給ガイド板３３０の背面に配置し、相関光電スイッチａ３１６は、相関光電スイッチｂ３３１に直接対向して存在する。相関光電スイッチａ３１６と相関光電スイッチｂ３３１を使用して、タバコがタバコ摺動スロット３１４に進入したかを検知する。タバコ押出モジュールを主に、タバコ押出モータ３０９、モータ設置座３０８、結合器３０７、タバコ押出バッフル設置座３０６、軸受ベース３０５、タバコ押出光電スイッチ３０４、タバコ押出送りねじプラットホーム設置座３０３、シリンダ設置座３０２、爪シリンダ３１８、爪設置座３１９、タバコ装填爪３２０、横向きシリンダ３２３、押出ロッド３２７、タバコ押出送りねじプラットホーム３２６、タバコ押出バッフル３２５から構成する。押出ロッド３２７は、タバコ摺動スロット３１４の上方に存在する。タバコ押出バッフル３２５の一端部を、タバコ押出バッフル設置座３０６に取付け、他端部には、押出ロッド３２７を備える。タバコ押出送りねじプラットホーム３２６の下部を、設置座３０３に固定し、連結し、タバコ押出送りねじプラットホーム３２６の上部を、タバコ押出バッフル設置座３０６に固定し、連結する。タバコ押出モータ３０９は、タバコ押出バッフル設置座３０６の背面に存在し、タバコ押出モータ３０９を、モータ設置座３０８に設置する。軸受ベース３０５を、モータ設置座３０８の直前に位置決めし、タバコ押出送りねじプラットホーム設置座３０３に固定し、該設置座３０３の上方に存在させる。  結合器３０７を、軸受ベース３０５とモータ設置座３０８の間に取付ける。結合器３０７の一端部を、タバコ押出モータ３０９に連結し、他端部を、タバコ押出送りねじプラットホーム３２６に連結する。横向きシリンダ３２３は、タバコ押出送りねじプラットホーム３２６の右側に存在し、横向きシリンダ３２３の他端部を、シリンダ設置座３０２に固定し、連結する。シリンダ設置座３０２を、タバコ装填ベース３０１に取付ける。爪設置座３１９を、横向きシリンダ３２３の前に取付ける。爪シリンダ３１８を、爪設置座３１９に取付け、爪シリンダ３１８の他端部は、タバコ装填爪３２０を備える。タバコ押出光電スイッチ３０４を、タバコ押出送りねじプラットホーム設置座３０３に取付け、タバコ押出光電スイッチ３０４は、軸受ベース３０５の右前側に存在する。ローラ３１３は、ローラモータ３１０を始動することによって、ローラ結合器３２４の伝動を介して回転する。次に、サンプル３２１は、タバコ供給ガイド板３３０を通過し、タバコ摺動スロット３１４内に落ちるように、相関光電スイッチａ３１６及び相関光電スイッチｂ３３１によって、判断される。その後、タバコ押出モータ３０９を、起動し、該モータは、結合器３０７を回転させ、その結果、タバコ押出送りねじプラットホーム３２６を前後に移動させ、それによりタバコ押出バッフル設置座３０６、タバコ押出バッフル３２５、押出ロッド３２７を前後に移動するようにする。それに伴い、サンプル３２１を、サンプルブラケット３２２に押出する。爪シリンダ３１８は、タバコ装填爪３２０に、サンプル３２１をしっかりと保持させる。爪設置座３１９は、サンプル３２１を固定位置に移動し、その後タバコ装填爪３２０を開き、元の位置に戻るように、横向きシリンダ３２３によって、前後に移動する。
【００５０】
本発明の一実施形態において、火の点いたタバコの高温の燃え殻の落下傾向を検査する自動マルチチャネル装置のタバコサンプルの自動点火及び燃焼ライン検知ユニットを、図６に示している。タバコサンプルの自動点火及び燃焼ライン検知ユニット４は、燃焼ライン検知アダプタ４０１、該燃焼ライン検知アダプタ４０１内に固定する燃焼ライン検知温度センサ４０２、及び該燃焼ライン検知温度センサ４０２を保護するために、燃焼ライン検知アダプタ４０１と共に固定する燃焼ライン検知アダプタカバー４０３を含み得る。プローブシャフト４２１を、燃焼ライン検知アダプタ４０１に固定する。プローブ片４２２をプローブシャフト４２１の端部に固定する。プローブシャフト４２１とプローブ片４２２により、確実に、測定燃焼温度を、同じレベルにして、燃焼ラインテストの精度を確保する。燃焼ライン検知アダプタ４０１を、可動プラットホーム（燃焼ライン検知可動プラットホーム）４１９に固定する。燃焼ライン検知ユニットの左右の動き及び燃焼ラインの異なる位置の検知を、手動でプラットホームを移動することによって、達成できる。燃焼ライン検知可動プラットホーム４１９を、点火ユニット底板４０４に固定する。点火器ヘッド４１８を、点火器固定スリーブ４１７を通して点火器ロッド４１５に接続する。点火器ハンドル４１４を、点火器ロッド４１５の尾端部で固定する。点火器を、上点火器支持座４１６と下点火器支持座４０６によって挟持する。下点火器支持座４０６を、点火器電気プラットホーム４０９に固定し、該プラットホームを、点火ユニットの側部固着座４０８に固定する。プラットホーム駆動モータ４１２を、モータフランジ４１１に固定し、結合器４１３によって点火器電気プラットホーム４０９に接続する。モータフランジ４１１を、フランジ接続板４１０に固定する。プラットホーム駆動モータ４１２は、点火器電気プラットホーム４０９を移動させ、それにより点火器をタバコの端部の方に移動させるようにし、その結果自動点火機能を達成する。点火器光電スイッチバッフル４０７を、点火器電気プラットホーム４０９のスライダに固定する。高温の燃え殻の落下を検知する２個の光電スイッチ４０５を、点火器ユニットの側部固着座４０８に固定し、左側と右側にそれぞれ存在させ、それにより運動中の送りねじの前後位置の限界を保証すると同時に、点火器電気プラットホーム４０９の初期位置を判断するようにする。
【００５１】
本発明の一実施形態において、火の点いたタバコの高温の燃え殻の落下傾向を検査する自動マルチチャネル装置の保持及び払いユニットを、図７に示している。保持及び払いユニット５は、払いシート５０２に固定した払いヘッド５０１を含み得る。払いシート５０２を、払いシート設置座５２０に固定する。払いシート設置座５２０を、回転シリンダ５０６のシリンダシャフトに固定する。払いヘッド５０１の押下動作を達成するために、回転シリンダ５０６は回転して、払い爪設置座５０３、払いシート５０２及び払いヘッド５０１を、纏めて移動させる。回転シリンダ設置座５０５を、払いモジュールの空気圧摺動テーブル５１９に固定し、該テーブルは、回転シリンダ設置座５０５を、元に移動させる。サンプルに対する払う動作を、払いヘッド５０１の押下動作と連携して、実行する。上振動減衰シート５０４は、回転シリンダ設置座５０５の上半分部分に固定され、位置を限定し、上向きに払う過程中での払いシート５０２に対する振動を止める機能を果たす。下振動減衰シート５２１は、回転シリンダ設置座５０５の下半分部分に固定され、位置を限定し、下向きに払う過程中での払いシート５０２に対する振動を止める機能を果たす。回転シリンダ５０６を、回転シリンダ設置座５０５に固定する。払いモジュールの空気圧摺動テーブル５１９を、払いモジュール設置座５１８に固定し、払いモジュール設置座５１８を、払いモジュールの送りねじ摺動テーブル５１５に固定する。払いモジュール設置座５１８は、払いモジュールの送りねじ摺動テーブル５１５によって駆動され、そうすることで移動し、その結果、必要な異なる払い位置を達成する。払いモジュールの送りねじ摺動テーブル５１５を、モータ摺動テーブル設置板５１１に固定する。零位光電スイッチ５１６を、モータ摺動テーブル設置板５１１に固定する。零位スイッチバッフル５１７を、払いモジュール設置座５１８に固定する。零位スイッチバッフル５１７を、零位光電スイッチ５１６によって検知して、払いモジュール設置座５１８のストロークを判断する。上払い爪５２５を、タバコ払い空気圧爪５２２の上顎部に固定する。下払い爪座５２３を、タバコ払い空気圧爪５２２の下顎部に固定し、下払い爪５２４を、下払い爪座５２３に固定する。タバコ払い空気圧爪５２２は、上払い爪５２５、下払い爪座５２３及び下払い爪５２４を動作させて、それによりサンプルをしっかりと挟持し、確実に、払う過程中にサンプルが落下しないようにする。タバコ払い空気圧爪５２２を、払い爪設置座５０３に固定し、該払い爪設置座を、タバコ払い爪支持座５０７に固定する。タバコ払い爪支持座５０７を、保持モジュールの一次元モータプラットホーム５１２に固定する。タバコ払い爪支持座５０７は、保持モジュールの一次元モータプラットホーム５１２によって駆動され、そうすることで移動し、その結果必要な異なる保持位置を達成する。保持モジュールの一次元モータプラットホーム５１２を、モータ摺動テーブルベース５１０に固定し、モータ摺動テーブルベース５１０を、モータ摺動テーブル設置板５１１に固定する。爪限界バッフル５０８を、タバコ払い爪支持座５０７に固定し、限界光電スイッチ５０９を、モータ摺動テーブルベース５１０に固定する。タバコ払い爪支持座５０７のストロークを、限界光電スイッチ５０９を介して爪限界バッフル５０８を検知することによって、判断する。モータ摺動テーブル設置板５１１を、払い組立体の空気圧摺動テーブル５１４に固定する。払い組立体の空気圧摺動テーブル５１４を、払い組立体ベース５１３に固定する。払いユニットの全体的な動きを、払い組立体の空気圧摺動テーブル５１４の駆動を介して、モータ摺動テーブル設置板５１１を移動することによって、達成する。
【００５２】
本発明の一実施形態において、火の点いたタバコの高温の燃え殻の落下傾向を検査する自動マルチチャネル装置は、さらにトラップユニット６を含み得る。図８及び図１４は、トラップユニットの概略構造図を示している。トラップユニット６は、押圧ロッド設置座６０７を主に含み得、該押圧ロッド設置座６０７を、圧縮シリンダブラケット６０６に固定する。圧縮シリンダブラケット６０６を、角部要素６０２によって煙捕集ユニット設置座６０１に固定する。トラップ圧縮シリンダ６０８を、押圧ロッド設置座６０７に固定する。トラップ押圧開口部６０９を、トラップ圧縮シリンダ６０８の端部で固定する。トラップ圧縮シリンダ６０８に固定した空気圧継手６１０の後端部を、マルチチャネル回転板ユニット１の第１空気圧継手１１５と接続する。トラップアダプタ６１４を、煙捕集ユニット設置座６０１に直接固定する。トラップトレー６０３を、３本の標準的なシャフトロッド６０４によって煙捕集ユニット設置座６０１に固定する。ガス排出継手６１５を、煙捕集ユニット設置座６０１に固定する。ガス排出継手６１５の他端部を、吸引ユニット９に接続する。フィルタ座６１１を、トラップトレー６０３内部に置く。フィルタ６１３を、フィルタ座６１１内部に置く。フィルタカバー６１２を、フィルタ留め三角クリップ６０５によってフィルタ座６１１内部に固定する。トラップ圧縮シリンダ６０８は、トラップ押圧開口部６０９を、フィルタカバー６１２の表面へと下方に移動させ、それによりフィルタ座６１１、フィルタ６１３及びトラップアダプタ６１４に沿って、密閉した空洞を形成する。吸引ユニット８が吸引運転を実行すると、トラップユニット６は、喫煙ガス中の不純物を濾過して、確実に吸引ユニット８の内部を清潔にし、それにより吸引ユニットを効果的に長時間使用するようにし得る。
【００５３】
本発明の一実施形態において、火の点いたタバコの高温の燃え殻の落下傾向を検査する自動マルチチャネル装置の吸引ユニットを、図９に示している。吸引ユニットは、摺動レール及び摺動レール座８０２、摺動レール座８０２上に配置する移行ブロック８０３を含み得る。可動ブロック８０４を、移行ブロック８０３上に設置し、モータシャフト８０５と接続する。吸引ピストン８１２を、吸引モータ８０８によって駆動して、吸引動作を実行するように移動する。吸引モータ８０８を、吸引モータブラケット８０７に設置する。モータ接続板８０９を、吸引モータ８０８に設置する。ピストンガラス管８１１を、モータ接続板８０９及び吸引シリンダベース８１４と接続する。モータ接続板８０９と吸引シリンダベース８１４を、テンションロッド８１０及び調整可能なシリンダナット８１５を使用して、締着する。吸引零位光電スイッチ８０６を、吸引ユニット設置座８０１に固定する。吸引ユニット設置座８０１及び吸引モータブラケット８０７を、吸引ユニットの支持ロッド８１６に固定する。
【００５４】
高温の燃え殻の落下傾向を検知する装置を検査する自動マルチチャネル装置の制御ユニットの構造について、図１１を参照して、以下に記載する。ホストコンピュータとプログラマブルコントローラは、時系列で命令を電磁弁（複数可）に送信し得、空気圧実行部を、電磁弁によって制御して、関係する操作を実行する。また、ホストコンピュータとプログラマブルコントローラは、命令をモータに送信し得る。モータは、関係する操作を実行するように、電気実行部を制御し、光電スイッチは、電気実行部の初期位置を制御する。赤外線検知器は、燃焼ラインとタバコサンプルの高温の燃え殻の落下状態を検知し、停止操作又はサンプル除去操作を実行するかを判断し得る。制御ユニットを主に、ホストコンピュータ、プログラマブルコントローラ、絞り弁と電磁弁と空気圧実行部から成る複数の群、及び電子制御実行部と光電スイッチから成る複数の群で構成し得る。制御ユニットは、以下に説明するように実行し得る：制御ユニットのホストコンピュータは、検知装置全体の運転を制御し、プログラマブルコントローラを、タバコ保持及び加力ユニットに配設した絞り弁、電磁弁及び回転シリンダと接続して、回転操作を払いシートに適用する；プログラマブルコントローラを、タバコ保持及び加力ユニットに配設した絞り弁、電磁弁及びシリンダと接続して、並進操作を空気圧摺動テーブルに適用する；プログラマブルコントローラを、タバコ保持及び加力ユニットに配設した電磁弁、及び払いモジュール空気圧摺動テーブルと接続して、並進操作を払い装置に適用する；プログラマブルコントローラを、タバコサンプルの自動供給ユニットに配設した電磁弁及び爪シリンダと接続して、保持操作を実行する；プログラマブルコントローラを、マルチチャネル回転板ユニットに配設した電磁弁及びサンプル除去空気圧フィンガに接続して、サンプル除去操作を実行する；プログラマブルコントローラを、マルチチャネル回転板ユニットに配設した電磁弁及び高温燃え殻落下検知シリンダに接続して、サンプル除去空気圧フィンガの移動操作を実行し、上記絞り弁の全てを、シリンダ移動速度を調整するのに使用する；プログラマブルコントローラを、タバコ保持及び加力ユニットに配設した電子実行部及び光電スイッチと接続して、払う力を加える位置を制御する；プログラマブルコントローラを、タバコサンプル自動点火及び燃焼ライン検知ユニットに配設した電子実行部及び光電スイッチと接続して、点火器ヘッドの動きを制御する；プログラマブルコントローラを、タバコサンプルの自動供給ユニットに配設したタバコ押出モータ及び光電スイッチと接続して、押出ロッドの動きを制御する；プログラマブルコントローラを、タバコサンプルの自動供給ユニットに配設したローラモータ及び光電スイッチと接続して、ローラの回転サンプル送りを制御する；プログラマブルコントローラを、マルチチャネル回転板ユニットに配設したステッパモータ及び光電スイッチと接続して、回転板の回転を制御する。そうした中で、制御ユニットのホストコンピュータは、総空気圧を制御するように、圧力調整弁を制御し得る。
【００５５】
図１０は、検知装置のテストフローチャートを示している。検知装置を、ＯＮし、初期化する。タバコサンプルの自動供給ユニット３は、タバコ装填動作を実行する。回転板１は、回転板がＮ回回転したかを判断する。判断結果がＮＯなら、タバコサンプルの自動供給ユニット３は、引続きタバコ装填動作を実行し、次に、回転板１は、１回回転し、その後判断ステップを再び実行する。そうでなければ、点火ユニット４及び吸引ユニット８が、運転し得る。回転板１は、タバコ点火操作を完了した後に、回転し、この時点で、回転板がＮ回回転したか否かが判断される。判断結果がＮＯなら、点火ユニット４及び吸引ユニット８は、連続して、点火操作を実行し、その後、回転板１は、１回回転し、次に、判断ステップを再び実行する。そうでなければ、保持及び払いユニット５が、運転し得る。タバコを払う動作を完了した後、高温燃え殻落下検知ユニット２は、高温の燃え殻の落下が払い後に発生したかを判断するように、運転し得る。判断結果がＹＥＳなら、タバコ引抜爪は、タバコを灰ホッパ７に入れるように機能する。そうでなければ、次のステップを実行する、即ち、燃焼ライン検知ユニット４は、タバコが燃料ラインに到達したかを判断するよう運転し得る。判断結果がＹＥＳなら、タバコ引抜爪は、タバコを灰ホッパ７に入れるように機能する。そうでなければ、保持及び払いユニット５、高温燃え殻落下検知ユニット２、吸引ユニット８、及び燃焼ライン検知ユニット４は、順番に繰返し運転し得る。
【符号の説明】
【００５６】
１  回転板
２  高温燃え殻落下検知ユニット
３  タバコサンプルの自動供給ユニット
４  タバコ点火及び燃焼ライン検知ユニット
５  保持及び払いユニット
６  トラップユニット
７  灰ホッパ
８  吸引ユニット
９  煙排出ユニット
１０  電気回路及び空気通路制御ユニット
１１  主枠
１０１  ラビリンスリングスリーブ
１０２  サンプル
１０３  回転板フランジ
１０４  フランジ押圧ノブ
１０５  ハンドル
１０６  回転板
１０７  固着板
１０８  伝動座
１０９  支持座
１１０  コード板
１１１  ステッパモータ
１１２  光電スイッチ
１１３  光電スイッチ座
１１４  回転板ベース
１１５  第１空気圧継手
１１６  バリシール
１１７  ラビリンスリング接続座
１１８  ラビリンスリング
２０１  ガイドシャフト
２０２  リニア軸受
２０３  タバコ引抜シリンダ設置座
２０４  タバコ引抜シリンダ
２０５  タバコ引抜空気圧フィンガ接続板
２０６  タバコ引抜爪
２０７  タバコ引抜空気圧フィンガ
２０８  アダプタ
２０９  プローブガイド管
２１０  プローブ接続ゴングスリーブ
２１１  高温燃え殻落下検知温度センサ
２１２  プローブ座
２１３  高温燃え殻落下ユニット設置座
３０１  タバコ装填ベース
３０２  シリンダ設置座
３０３  タバコ押出送りねじプラットホーム設置座
３０４  タバコ押出光電スイッチ
３０５  軸受ベース
３０６  タバコ押出バッフル設置座
３０７  結合器
３０８  モータ設置座
３０９  タバコ押出モータ
３１０  ローラモータ
３１１  モータブラケット
３１２  タバコ収集箱の後ブラケット
３１３  ローラ
３１４  タバコ摺動スロット
３１５  タバコ収集箱
３１６  相関光電スイッチａ
３１７  タバコ収集箱の前ブラケット
３１８  爪シリンダ
３１９  爪設置座
３２０  タバコ装填爪
３２１  サンプル
３２２  サンプルブラケット
３２３  横向きシリンダ
３２４  ローラ結合器
３２５  タバコ押出バッフル
３２６  タバコ押出送りねじプラットホーム
３２７  押出ロッド
３２８  タバコ装填ローラのコード板
３２９  ローラ光電スイッチ
３３０  タバコ供給ガイド板
３３１  相関光電スイッチｂ
４０１  燃焼ライン検知アダプタ
４０２  燃焼ライン検知温度センサ
４０３  燃焼ライン検知アダプタカバー
４０４  ユニット底板
４０５  プローブ検知用光電スイッチ
４０６  下点火器支持座
４０７  点火器光電スイッチバッフル
４０８  側部固着座
４０９  点火器電気プラットホーム
４１０  フランジ接続板
４１１  モータフランジ
４１２  プラットホーム駆動モータ
４１３  結合器
４１４  点火器ハンドル
４１５  点火器ロッド
４１６  上点火器支持座
４１７  点火器固定スリーブ
４１８  点火器ヘッド
４１９  可動プラットホーム（燃焼ライン検知可動プラットホーム）
４２０  プローブ連接ゴングスリーブ
４２１  プローブシャフト
４２２  プローブ片
５０１  払いヘッド
５０２  払いシート
５０３  払い爪設置座
５０４  上振動減衰シート
５０５  回転シリンダ設置座
５０６  回転シリンダ
５０７  タバコ払い爪支持座
５０８  爪限界バッフル
５０９  限界光電スイッチ
５１０  モータ摺動テーブルベース
５１１  モータ摺動テーブル設置板
５１２  一次元モータプラットホーム
５１３  払い組立体ベース
５１４  払い組立体の空気圧摺動テーブル
５１５  払いモジュールの送りねじ摺動テーブル
５１６  零位光電スイッチ
５１７  零位スイッチバッフル
５１８  払いモジュール設置座
５１９  払いモジュールの空気圧摺動テーブル
５２０  払いシート設置座
５２１  下振動減衰シート
５２２  タバコ払い空気圧爪
５２３  下払い爪座
５２４  下払い爪
５２５  上払い爪
６０１  煙捕集ユニット設置座
６０２  角部要素
６０３  トラップトレー
６０４  標準シャフトロッド
６０５  フィルタ留め三角クリップ
６０６  圧縮シリンダブラケット
６０７  押圧ロッド設置座
６０８  トラップ圧縮シリンダ
６０９  トラップ押圧開口部
６１０  第２空気圧継手
６１１  フィルタ座
６１２  フィルタカバー
６１３  フィルタ
６１４  トラップアダプタ
６１５  ガス排出継手
８０１  吸引ユニット設置座
８０２  摺動レール及び摺動レール座
８０３  移行ブロック
８０４  可動ブロック
８０５  モータシャフト
８０６  吸引零位光電スイッチ
８０７  吸引モータブラケット
８０８  吸引モータ
８０９  モータ接続板
８１０  テンションロッド
８１１  吸引シリンダ
８１２  吸引ピストン
８１３  ガラス管カバー
８１４  吸引シリンダベース
８１５  調整可能なシリンダナット
８１６  吸引ユニット支持ロッド
１００１  空気源
１００２  フィルタリリーフ弁注油器
１００３  第１絞り弁
１００４  第２絞り弁
１００５  第３絞り弁
１００６  第１電磁弁
１００７  第２電磁弁
１００８  第３電磁弁
１００９  第４電磁弁
１０１０  第４電磁弁
１０１１  第５電磁弁
１０１２  第６電磁弁
１０１３  第７電磁弁
１０１４  第９電磁弁
１０１５  第１０電磁弁
１０１６  第８電磁弁
１０１７  リリーフ弁
１０１８  制御ユニット
１０１９  第１１電磁弁
【図１】
2021508830.tif 000003
【図２】
2021508830.tif 000004
【図３】
2021508830.tif 000005
【図４】
2021508830.tif 000006
【図５】
2021508830.tif 000007
【図６】
2021508830.tif 000008
【図７】
2021508830.tif 000009
【図８】
2021508830.tif 000010
【図９】
2021508830.tif 000011
【図１０】
2021508830.tif 000012
【図１１】
2021508830.tif 000013
【図１２】
2021508830.tif 000014
【図１３】
2021508830.tif 000015
【図１４】
2021508830.tif 000016
【国際調査報告】
2021508830.tif 000017
2021508830.tif 000018
2021508830.tif 000019
2021508830.tif 000020
2021508830.tif 000021
2021508830.tif 000022